(57)【要約】【課題】ＰＤＮコネクション確立手続きにおいて、移動局装置にホーム基地局装置がローカルネットワーク経由でのオフロード（ＳＩＰＴＯ＠ＬＮ）を可能であることを検知させることにより、ＳＩＰＴＯ＠ＬＮのＰＤＮコネクション要求を送信することができる移動通信システム等を提供すること。【解決手段】位置管理装置は、移動局装置のローカルネットワーク経由のオフロードの第１の許可情報及び前記アクセス制御装置のローカルネットワーク経由の第２のオフロードの許可情報を管理し、前記第１の許可情報と前記第２の許可情報とを基にローカルネットワーク経由のオフロードの許可情報を前記ホーム基地局装置経由で前記移動局装置に通知し、移動局装置は、前記ローカルネットワーク経由のオフロードの許可情報により、前記ホーム基地局装置においてローカルネットワーク経由のオフロードのためのＰＤＮコネクションの確立を要求する。【選択図】図１
2015233170.tif 000002
【特許請求の範囲】
【請求項１】
移動局装置が在圏するホーム基地局装置及びアクセス制御装置が接続されるホームネットワークと、位置管理装置が接続されるコアネットワークとが外部ネットワークを介して接続されている移動通信システムにおいて、
前記位置管理装置は、
前記移動局装置に対するローカルネットワーク経由のオフロードの第１の許可情報及び前記アクセス制御装置に対するローカルネットワーク経由のオフロードの第２の許可情報を管理し、
前記第１の許可情報と前記第２の許可情報とを基にローカルネットワーク経由のオフロードの許可情報を前記ホーム基地局装置経由で前記移動局装置に通知し、
前記移動局装置は、前記ローカルネットワーク経由のオフロードの許可情報により、前記ホーム基地局装置においてローカルネットワーク経由のオフロードのためのＰＤＮコネクションの確立を要求することを特徴とする移動通信システム。
【請求項２】
移動局装置が在圏するホーム基地局装置及びアクセス制御装置が接続されるホームネットワークと、位置管理装置が接続されるコアネットワークとが外部ネットワークを介して接続されている移動通信システムにおいて、
前記ホーム基地局装置は、
前記アクセス制御装置に対するローカルネットワーク経由のオフロードの許可情報を管理し、
前記アクセス制御装置に対するローカルネットワーク経由のオフロードの許可情報を前記移動局装置に通知し、
前記移動局装置は、前記ローカルネットワーク経由のオフロードの許可情報により、前記ホーム基地局装置においてローカルネットワーク経由のオフロードのためのＰＤＮコネクションの確立を要求することを特徴とする移動通信システム。
【請求項３】
移動局装置が在圏するホーム基地局装置及びアクセス制御装置が接続されるホームネットワークと、位置管理装置が接続されるコアネットワークとが外部ネットワークを介して接続されている移動通信システムにおいて、
前記移動局装置は、
前記ホーム基地局装置におけるローカルネットワーク経由のオフロードの許可情報を設定し、
前記移動局装置は、前記ローカルネットワーク経由のオフロードの許可情報により、ローカルネットワーク経由のオフロードのためのＰＤＮコネクションの確立を要求することを特徴とする移動通信システム。
【請求項４】
移動局装置が在圏するホーム基地局装置及びアクセス制御装置が接続されるホームネットワークと、外部ネットワークを介してコアネットワークに接続されている位置管理装置であって、
前記位置管理装置は、
前記移動局装置に対するローカルネットワーク経由のオフロードの許可情報及び前記アクセス制御装置に対するローカルネットワーク経由のオフロードの許可情報を管理し、
ローカルネットワーク経由のオフロードの許可情報を前記ホーム基地局装置経由で前記移動局装置に通知し、
前記移動局装置に対するローカルネットワーク経由のオフロードの許可情報により、前記ホーム基地局装置においてローカルネットワーク経由のオフロードのためのＰＤＮコネクションの確立を許可することを特徴とする位置管理装置。
【請求項５】
外部ネットワークを介する位置管理装置が接続されるコアネットワークと、移動局装置が在圏するホーム基地局装置及びアクセス制御装置が接続されるホームネットワークにおけるホーム基地局装置であって、
前記ホーム基地局装置のローカルネットワーク経由のオフロードの許可情報を管理し、
前記ホーム基地局装置のローカルネットワーク経由のオフロードの許可情報を通知し、
前記移動局装置は、当該移動局装置に対するローカルネットワーク経由のオフロードの許可情報により、前記ホーム基地局装置においてローカルネットワーク経由のオフロードのためのＰＤＮコネクションの確立を許可することを特徴とするホーム基地局装置。
【請求項６】
外部ネットワークを介する位置管理装置が接続されるコアネットワークと、移動局装置が在圏するホーム基地局装置及びアクセス制御装置が接続されるホームネットワークにおける移動局装置であって、
前記移動局装置のローカルネットワーク経由のオフロードの第１の許可情報及び前記アクセス制御装置のローカルネットワーク経由のオフロードの第２の許可情報を基にしたローカルネットワーク経由のオフロードの許可情報を前記位置管理装置から前記ホーム基地局装置経由で受信し、
ローカルネットワーク経由のオフロードの許可情報により、前記ホーム基地局装置においてローカルネットワーク経由のオフロードのためのＰＤＮコネクションの確立を要求することを特徴とする移動局装置。
【請求項７】
外部ネットワークを介する位置管理装置が接続されるコアネットワークと、移動局装置が在圏するホーム基地局装置及びアクセス制御装置が接続されるホームネットワークにおける移動局装置であって、
前記ホーム基地局装置から前記ホーム基地局装置のローカルネットワーク経由のオフロードの許可情報を基にしたローカルネットワーク経由のオフロードの許可情報を受信し、
ローカルネットワーク経由のオフロードの許可情報により、前記ホーム基地局装置においてローカルネットワーク経由のオフロードのためのＰＤＮコネクションの確立を要求することを特徴とする移動局装置。
【請求項８】
外部ネットワークを介するコアネットワークと、移動局装置が在圏するホーム基地局装置及びアクセス制御装置が接続されるホームネットワークにおける移動局装置であって、
前記ホーム基地局装置におけるローカルネットワーク経由のオフロードの許可情報を設定し、
前記ホーム基地局装置におけるローカルネットワーク経由のオフロードの許可情報により、前記ホーム基地局装置においてローカルネットワーク経由のオフロードのためのＰＤＮコネクションの確立を要求することを特徴とする移動局装置。
【請求項９】
移動局装置が在圏するホーム基地局装置及びアクセス制御装置が接続されるホームネットワークと、位置管理装置が接続されるコアネットワークとが外部ネットワークを介して接続されている移動通信システムにおける通信方法において、
前記位置管理装置は、
前記移動局装置に対するローカルネットワーク経由のオフロードの第１の許可情報及び前記アクセス制御装置に対するローカルネットワーク経由のオフロードの第２の許可情報を管理するステップと、
前記第１の許可情報と前記第２の許可情報とを基にローカルネットワーク経由のオフロードの許可情報を前記ホーム基地局装置経由で前記移動局装置に通知するステップと、
を有し、
前記移動局装置は、前記ローカルネットワーク経由のオフロードの許可情報により、前記ホーム基地局装置においてローカルネットワーク経由のオフロードのためのＰＤＮコネクションの確立を要求するステップを有することを特徴とする移動通信システムにおける通信方法。
【発明の詳細な説明】
【技術分野】
【０００１】
本発明は、移動局装置が接続するホーム基地局装置及びアクセス制御装置が接続されるホームネットワークと、位置管理装置が接続されるコアネットワークとが外部ネットワークを介して接続されている移動通信システム等に関する
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳの構成装置として、宅内等に設置する小型基地局であるＨｅＮＢ（Home eNodeB：ホーム基地局）について検討がなされている。
【０００３】
ＨｅＮＢは、フェムトセルと呼ばれる小規模の無線セルを構築し、通常の基地局と同じ無線アクセス技術を用いて、ＵＥ（User Equipment：移動端末装置）を収容する。そして、ブロードバンドネットワークを経由して移動通信システムのコアネットワークに接続し、収容しているＵＥの通信データを中継することができる。
【０００４】
また、以下の非特許文献２には、ＳＩＰＴＯ（Selected IP Traffic Offload）を実現するためのアーキテクチャの候補が開示されている。ＳＩＰＴＯとは、ＵＥが基地局（ｅＮＢ）に接続しつつ、移動通信システムのコアネットワークを介さずにブロードバンドネットワーク経由で、ｅＮＢに収容しているＵＥにデータ通信を提供する。
【０００５】
また、以下の非特許文献３には、ＬＩＰＡ（Ｌｏｃａｌ  ＩＰ  Ａｃｃｅｓｓ）を実現するためのアーキテクチャの候補が開示されている。ＬＩＰＡとは、ＵＥがホーム基地局（ＨｅＮＢ）に接続し、ホームネットワークへのアクセスを提供する。
【０００６】
また、以下の非特許文献３には、ＳＩＰＴＯの記載があり、ＵＥがＨｅＮＢに接続しつつ、移動通信システムのコアネットワークを介さずに、ブロードバンドネットワーク経由で、ＨｅＮＢに収容しているＵＥにデータ通信を提供する。ここで示されるＳＩＰＴＯでは、ホームネットワークにおけるアクセスを行うことはできない。つまり、ＨｅＮＢに収容されるＵＥに提供するＳＩＰＴＯは、前述のＬＩＰＡとは異なるデータ通信として提供される。
【０００７】
非特許文献３では、ＵＥがｅＮＢまたはＨｅＮＢから移動通信ネットワーク内のオフロードポイント（ＴＯＦ：Traffic Offload Function）およびブロードバンドネットワークを経由してデータ通信を行う方法をＳＩＰＴＯ＠ＲＮ（Radio Access Network：無線アクセスネットワーク）と記載し、ＨｅＮＢからＬＧＷを経由してブロードバンドネットワーク経由でデータ通信を行う方法をＳＩＰＴＯ＠ＬＮ（Local Network：ローカルネットワーク）と記載している。
【０００８】
ここで、ＳＩＰＴＯ＠ＲＮとＳＩＰＴＯ＠ＬＮは異なるサービスであり、ＳＩＰＴＯ＠ＲＮでは、コアネットワーク内に配置されるＴＯＦを利用したオフロードサービスであるのに対し、ＳＩＰＴＯ＠ＬＮでは、ＬＧＷを利用したオフロードサービスである。
【０００９】
また、非特許文献３には、ＳＩＰＴＯのＰＤＮコネクションを確立するための手続きが記載されている。ＰＤＮコネクションには、サービス毎にアクセス制御装置とＵＥとの間に確立される通信路である。ここでは、ＳＩＰＴＯ＠ＬＮにおいても、オフロードサービスに利用されるＰＤＮコネクションが確立される。
【００１０】
このＰＤＮコネクションを確立する際には、コアネットワーク内の位置管理装置（ＭＭＥ：Mobility Management Entity）が、ＰＤＮコネクションの端点となるアクセス制御装置を選択するというＧＷ選択を行う。
【００１１】
ここで、ＵＥが在圏するＨｅＮＢが接続するＬＧＷがＳＩＰＴＯ＠ＬＮに対応していない場合、ＭＭＥは、ＧＷ選択において、ＳＩＰＴＯ＠ＬＮを行うためのＬＧＷを選択することはできず、ＳＩＰＴＯ＠ＬＮに対応するＰＤＮコネクションを確立することはできない。
【００１２】
また、ホームネットワークの構成として、単一のＬＧＷに対して複数のＨｅＮＢが接続するアーキテクチャが検討されている。これにより、ＵＥはＬＧＷをアンカーとしてＨｅＮＢ間の移動を行うことができるようになる。
【先行技術文献】
【非特許文献】
【００１３】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 23.859 LIPA Mobility and SIPTO at the Local Network
【発明の概要】
【発明が解決しようとする課題】
【００１４】
しかしながら、ＵＥは、現在位置する（在圏する）場所において、ローカルネットワークへのオフロード（ＳＩＰＴＯ＠ＬＮ）のデータの送受信を行うことができることを検知する手段はなかった。
【００１５】
ＵＥは、ＨｅＮＢがＳＩＰＴＯ＠ＬＮを提供することを検知できないために、ＳＩＰＴＯ＠ＬＮのＰＤＮコネクションを確立できないにも関わらず、ＳＩＰＴＯ＠ＬＮのＰＤＮコネクション要求を不必要に送信してしまい、ＰＤＮコネクションを確立するためのシグナリングが増加することによってＵＥの消費電力を浪費してしまっていた。
【００１６】
また、ＵＥがＳＩＰＴＯ＠ＬＮのＰＤＮコネクションを確立できることを検知できないために、ＳＩＰＴＯ＠ＬＮのＰＤＮコネクション要求を不必要に送信することにより、ＭＭＥは、ＳＩＰＴＯ＠ＬＮ可能なＬＧＷを選択できないにも関わらず、不必要にＬＧＷを検索してしまうために、ＭＭＥに処理負荷を与えてしまっていた。
【００１７】
さらに、ＵＥが、ＳＩＰＴＯ＠ＬＮのＰＤＮコネクションを確立できることを検知できないために、ＳＩＰＴＯ＠ＬＮのＰＤＮコネクション要求を不必要に送信することにより、ＭＭＥは、ＰＤＮコネクション確立できないことを示す情報を送信するためのシグナリングを増大させてしまっていた。
【００１８】
本発明は、このような事情を鑑みてなされたもので、その目的は、ＰＤＮコネクション確立手続きにおいて、移動局装置にホーム基地局装置がローカルネットワーク経由でのオフロード（ＳＩＰＴＯ＠ＬＮ）を可能であることを検知させることにより、ＳＩＰＴＯ＠ＬＮのＰＤＮコネクション要求を送信することができる移動通信システム等を提供することである。
【課題を解決するための手段】
【００１９】
本発明の移動通信システムは、
移動局装置が在圏するホーム基地局装置及びアクセス制御装置が接続されるホームネットワークと、位置管理装置が接続されるコアネットワークとが外部ネットワークを介して接続されている移動通信システムにおいて、
前記位置管理装置は、
前記移動局装置に対するローカルネットワーク経由のオフロードの第１の許可情報及び前記アクセス制御装置に対するローカルネットワーク経由のオフロードの第２の許可情報を管理し、
前記第１の許可情報と前記第２の許可情報とを基にローカルネットワーク経由のオフロードの許可情報を前記ホーム基地局装置経由で前記移動局装置に通知し、
前記移動局装置は、前記ローカルネットワーク経由のオフロードの許可情報により、前記ホーム基地局装置においてローカルネットワーク経由のオフロードのためのＰＤＮコネクションの確立を要求することを特徴とする。
【００２０】
本発明の移動通信システムは、
移動局装置が在圏するホーム基地局装置及びアクセス制御装置が接続されるホームネットワークと、位置管理装置が接続されるコアネットワークとが外部ネットワークを介して接続されている移動通信システムにおいて、
前記ホーム基地局装置は、
前記アクセス制御装置に対するローカルネットワーク経由のオフロードの許可情報を管理し、
前記アクセス制御装置に対するローカルネットワーク経由のオフロードの許可情報を前記移動局装置に通知し、
前記移動局装置は、前記ローカルネットワーク経由のオフロードの許可情報により、前記ホーム基地局装置においてローカルネットワーク経由のオフロードのためのＰＤＮコネクションの確立を要求することを特徴とする。
【００２１】
本発明の移動通信システムは、
移動局装置が在圏するホーム基地局装置及びアクセス制御装置が接続されるホームネットワークと、位置管理装置が接続されるコアネットワークとが外部ネットワークを介して接続されている移動通信システムにおいて、
前記移動局装置は、
前記ホーム基地局装置におけるローカルネットワーク経由のオフロードの許可情報を設定し、
前記移動局装置は、前記ローカルネットワーク経由のオフロードの許可情報により、ローカルネットワーク経由のオフロードのためのＰＤＮコネクションの確立を要求することを特徴とする。
【００２２】
本発明の位置管理装置は、
移動局装置が在圏するホーム基地局装置及びアクセス制御装置が接続されるホームネットワークと、外部ネットワークを介してコアネットワークに接続されている位置管理装置であって、
前記移動局装置に対するローカルネットワーク経由のオフロードの許可情報及び前記アクセス制御装置に対するローカルネットワーク経由のオフロードの許可情報を管理し、
ローカルネットワーク経由のオフロードの許可情報を前記ホーム基地局装置経由で前記移動局装置に通知し、
前記移動局装置に対するローカルネットワーク経由のオフロードの許可情報により、前記ホーム基地局装置においてローカルネットワーク経由のオフロードのためのＰＤＮコネクションの確立を許可することを特徴とする。
【００２３】
外部ネットワークを介する位置管理装置が接続されるコアネットワークと、移動局装置が在圏するホーム基地局装置及びアクセス制御装置が接続されるホームネットワークにおけるホーム基地局装置であって、
前記ホーム基地局装置は、
前記ホーム基地局装置のローカルネットワーク経由のオフロードの許可情報を管理し、
前記ホーム基地局装置のローカルネットワーク経由のオフロードの許可情報を通知し、
前記移動局装置は、当該移動局装置に対する宇ローカルネットワーク経由のオフロードの許可情報により、前記ホーム基地局装置においてローカルネットワーク経由のオフロードのためのＰＤＮコネクションの確立を許可することを特徴とする。
【００２４】
外部ネットワークを介する位置管理装置が接続されるコアネットワークと、移動局装置が在圏するホーム基地局装置及びアクセス制御装置が接続されるホームネットワークにおける移動局装置であって、
前記移動局装置は、
前記移動局装置のローカルネットワーク経由のオフロードの第１の許可情報及び前記アクセス制御装置のローカルネットワーク経由のオフロードの第２の許可情報を管理され、
ローカルネットワーク経由のオフロードの許可情報を前記ホーム基地局装置経由で前記移動局装置へ通知され、
ローカルネットワーク経由のオフロードの許可情報により、前記ホーム基地局装置においてローカルネットワーク経由のオフロードのためのＰＤＮコネクションの確立を要求することを特徴とする。
【００２５】
外部ネットワークを介する位置管理装置が接続されるコアネットワークと、移動局装置が在圏するホーム基地局装置及びアクセス制御装置が接続されるホームネットワークにおける移動局装置であって、
前記ホーム基地局装置は、
前記ホーム基地局装置のローカルネットワーク経由のオフロードの許可情報を管理し、
前記ホーム基地局装置のローカルネットワーク経由のオフロードの許可情報を通知し、
前記移動局装置は、
ローカルネットワーク経由のオフロードの許可情報により、前記ホーム基地局装置においてローカルネットワーク経由のオフロードのためのＰＤＮコネクションの確立を要求することを特徴とする。
【００２６】
外部ネットワークを介するコアネットワークと、移動局装置が在圏するホーム基地局装置及びアクセス制御装置が接続されるホームネットワークにおける移動局装置であって、
前記ホーム基地局装置におけるローカルネットワーク経由のオフロードの許可情報を設定され、
前記ホーム基地局装置におけるローカルネットワーク経由のオフロードの許可情報により、前記ホーム基地局装置においてローカルネットワーク経由のオフロードのためのＰＤＮコネクションの確立を要求することを特徴とする。
【００２７】
移動局装置が在圏するホーム基地局装置及びアクセス制御装置が接続されるホームネットワークと、位置管理装置が接続されるコアネットワークとが外部ネットワークを介して接続されている移動通信システムにおける通信方法において、
前記位置管理装置は、
前記移動局装置のローカルネットワーク経由のオフロードの許可情報及び前記アクセス制御装置のローカルネットワーク経由のオフロードの許可情報を管理するステップと、
ローカルネットワーク経由のオフロードの許可情報を前記ホーム基地局装置経由で前記移動局装置に通知するステップと、
を有し、
前記移動局装置は、前記ローカルネットワーク経由のオフロードの許可情報により、前記ホーム基地局装置においてローカルネットワーク経由のオフロードのためのＰＤＮコネクションの確立を要求するステップを有することを特徴とする。
【発明の効果】
【００２８】
本発明によれば、移動局装置にホーム基地局装置がローカルネットワーク経由のオフロード（ＳＩＰＴＯ＠ＬＮ）可能であることを検知させることにより、移動局装置は、ローカルネットワーク経由のオフロード（ＳＩＰＴＯ＠ＬＮ）におけるＰＤＮコネクションを要求することができる。これにより、移動局装置は、ＰＤＮコネクション確立手続きを開始するためのＰＤＮコネクション要求を、ＳＩＰＴＯ＠ＬＮ可能である場合にのみ送信することができる。
【００２９】
さらに、移動局装置が、ＳＩＰＴＯ＠ＬＮのＰＤＮコネクションを確立できる場合にのみ、ＳＩＰＴＯ＠ＬＮのＰＤＮコネクション要求を送信することによって、移動局装置は、不必要にＰＤＮコネクション要求を送信することを防止し、移動局装置の消費電力を浪費することを防ぐことができる。
【００３０】
また、移動局装置が、ＳＩＰＴＯ＠ＬＮのＰＤＮコネクションを確立できる場合にのみ、ＳＩＰＴＯ＠ＬＮのＰＤＮコネクション要求を送信することによって、位置管理装置は、ＳＩＰＴＯ＠ＬＮ可能なアクセス制御装置を選択できる場合にのみ、ＬＧＷの選択を行うことができ、不必要なアクセス制御装置の選択を防止し、位置管理装置に処理負荷を与えることを防ぐことができる。
【００３１】
さらに、移動局装置が、ＳＩＰＴＯ＠ＬＮのＰＤＮコネクションを確立できる場合にのみ、ＳＩＰＴＯ＠ＬＮのＰＤＮコネクション要求を送信することによって、位置管理装置は、ＰＤＮコネクション確立できないことを示す情報を送信するためのシグナリングの増大を防ぐことができる。
【図面の簡単な説明】
【００３２】
【図１】本実施形態における移動通信システムの概略を示す図である。
【図２】本実施形態におけるＭＭＥの構成を示す図である。
【図３】本実施形態におけるＨｅＮＢ管理表の一例を示す図である。
【図４】本実施形態におけるＬＧＷの構成を示す図である。
【図５】本実施形態におけるＬＧＷ識別子、ＨｅＮＢ識別子の一例を示す図である。
【図６】本実施形態におけるＨｅＮＢの構成を示す図である。
【図７】本実施形態におけるＨｅＮＢ識別子、ＬＧＷ識別子、ＬＨＮ管理情報、ＡＰＮ識別子の一例を示す図である。
【図８】本実施形態におけるＵＥの構成を示す図である。
【図９】本実施形態におけるＣＳＧ識別子、ＡＰＮ管理表の一例を示す図である。
【図１０】本実施形態における処理の流れを説明するためのシーケンス図である。
【図１１】本実施形態におけるＬＧＷの検出について説明するための動作フローである。
【図１２】本実施形態におけるＬＧＷの検出について説明するための動作フローである。
【図１３】本実施形態における処理の流れを説明するためのシーケンス図である。
【図１４】本実施形態におけるＳＩＰＴＯ＠ＬＮフラグの一例を示す図である。
【図１５】本実施形態における処理の流れを説明するためのシーケンス図である。
【図１６】本実施形態における処理の流れを説明するためのシーケンス図である。
【図１７】本実施形態における処理の流れを説明するためのシーケンス図である。
【発明を実施するための形態】
【００３３】
以下、図面を参照して本発明を実施するための最良の形態について説明する。なお、本実施形態では、一例として、本発明を適用した場合の移動通信システムの実施形態について、図を用いて詳細に説明する。
【００３４】
［１．第１実施形態］
まず、本発明を適用した第１実施形態について、図面を参照して説明する。
【００３５】
［１．１  移動通信システムの概要］
図１は、本実施形態における移動通信システム１の概略を説明するための図である。本図に示すように、移動通信システム１は、コアネットワーク３と、ホームネットワーク５と、ブロードバンドネットワーク７とを含んで構成される。
【００３６】
ブロードバンドネットワーク７は、広帯域の通信を実現する有線アクセスネットワークであり、例えばＡＤＳＬ（Asymmetric Digital Subscriber Line）や光ファイバー等によって構築される。ただし、これに限らずＷｉＭＡＸ（Worldwide Interoperability for Microwave Access）などの無線アクセスネットワークであっても良い。
【００３７】
コアネットワーク３は、移動通信事業者が運用する移動通信ネットワークであり、ＭＭＥ１０（Mobility Management Entity）とＳＧＷ４０とＰＧＷ６０とを含んで構成されている。
【００３８】
ＭＭＥ１０は、シグナリングを行うエンティティであり、移動局装置（ＵＥ５０）の位置管理及びＰＤＮコネクションの確立手続きを主導する位置管理装置である。ＰＤＮコネクションとは、ＵＥ毎にＰＧＷ６０とＵＥ５０との間、もしくは、ホームネットワーク内のＬＧＷ２０とＵＥ５０との間で確立されるユーザＩＰパケットを転送する論理パスのことである。ＰＤＮコネクションを確立手続きにおいて、ＭＭＥ１０は、ＳＩＰＴＯ＠ＬＮのＰＤＮコネクションを確立することを決定した場合、ＧＷ選択処理を行う。ＧＷ選択においては、ＭＭＥ１０は、ＳＩＰＴＯ＠ＬＮ可能なＬＧＷを選択する。
【００３９】
ＰＤＮコネクションの確立には、ＥＰＳベアラや無線ベアラの確立も含まれ、各ベアラは通信速度や帯域等を要素として特定のＱｏＳレベルを設定することができる。
【００４０】
ＳＧＷ４０は、コアネットワークを経由するユーザデータの送受信の転送に利用される。なお、ＳＧＷ４０は、コアネットワークに収容される従来型の装置である。したがって、その説明は省略する。
【００４１】
ＰＧＷ６０は、ＰＤＮ（Packet Data Network）とのデータの送受信を行うためのアンカー装置である。なお、ＰＧＷ６０は、コアネットワークに収容される従来型の装置である。したがって、その説明は省略する。
【００４２】
ホームネットワーク５は、家庭内のホームネットワークや企業などのコーポレートネットワークなどであり、ＬＧＷ２０と、ＨｅＮＢ３０と、ＵＥ５０とを含んで構成されている。さらに、ホームネットワーク５は、ブロードバンドネットワーク７に接続されている。
【００４３】
ＬＧＷ２０は、ホームネットワーク５とブロードバンドネットワーク７間のゲートウェイ装置であり、ＡＤＳＬモデム内蔵ルータ等の従来のブロードバンドルータとしての機能を備える装置である。
【００４４】
ＨｅＮＢ３０はホームネットワーク５に設置されながら、コアネットワーク事業者の提供する基地局としてＵＥ５０を収容可能である。典型的には、フェムトセルを形成する３ＧＰＰ  ＬＴＥ（Long Term Evolution）の基地局などである。なお、ＵＥ５０は、ＨｅＮＢ３０等に収容可能な移動局装置である。
【００４５】
［１．２  装置構成］
続いて、各装置構成について図を用いて簡単に説明する。
【００４６】
［１．２．１  ＭＭＥの構成］
図２は、本実施形態におけるＭＭＥ１０の構成を示す。ＭＭＥ１０は、制御部１００に、送受信部１１０と、ＬＧＷ検出部１４０と、記憶部１５０とがバスを介して接続されている。
【００４７】
制御部１００は、ＭＭＥ１０を制御するための機能部である。制御部１００は、記憶部１５０に記憶されている各種プログラムを読み出して実行することにより各種機能を実現する。
【００４８】
送受信部１１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００４９】
記憶部１５０は、ＭＭＥ１０の動作に必要な各種プログラムや、各種データが記憶されている機能部である。記憶部１５０は、例えば、半導体メモリや、ＨＤＤ（Hard Disk Drive）等により構成されている。さらに、記憶部１５０には、ＨｅＮＢ管理表１５２と、ＬＨＮ／ＣＳＧ管理表１５４と、ＳＩＰＴＯ＠ＬＮ許可情報管理表１５６と、ＡＰＮ管理表１５８と、が記憶されている。
【００５０】
ＨｅＮＢ管理表１５２では、図３（ａ）に示すように、ＨｅＮＢ識別子（例えば、「ＨｅＮＢ３０」）と、ＬＧＷ識別子（例えば、「ＬＧＷ２０」）とが関連付けて管理（記憶）されている。ここで管理されているＬＧＷ２０は、ＳＩＰＴＯ＠ＬＮ可能なＬＧＷである。
【００５１】
また、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。なお、セル識別子は、ＨｅＮＢの無線エリアを識別する識別子である。また、ＣＳＧ識別子は、ＵＥ５０がＨｅＮＢ３０を接続するために、ネットワーク側において認証を行うための識別子である。さらに、ＬＧＷ識別子は、ＬＧＷを識別できる情報であればよく、ＩＰアドレスで管理されていても良い。
【００５２】
更に、ＨｅＮＢ管理表１５２では、ＬＧＷ２０において利用可能なＡＰＮ識別子を関連付けて管理している。これは、このＡＰＮ識別子を利用して接続するＵＥ５０に対して、ＭＭＥ１０は、ＬＧＷ２０を選択してＰＤＮコネクションを確立することができることを表している。ここで、ＡＰＮ（Ａｃｃｅｓｓ  Ｐｏｉｎｔ  Ｎａｍｅ）は、サービスへアクセスするための接続先情報を示している。
【００５３】
ここで、ＡＰＮ１はローカルネットワーク経由のオフロード（ＳＩＰＴＯ＠ＬＮ）を示すＡＰＮである。つまり、ＭＭＥ１０は、ＨｅＮＢ３０が接続するＬＧＷ２０において、ローカルネットワーク経由のオフロード（ＳＩＰＴＯ＠ＬＮ）可能であることを管理し、ＵＥ５０がＨｅＮＢ３０に在圏する場合、ローカルネットワーク経由でのＰＤＮコネクションを確立できることを示している。
【００５４】
また、ＭＭＥ１０は、ローカルネットワーク経由でのオフロード（ＳＩＰＴＯ＠ＬＮ）可能であることを管理するだけでなく、ローカルネットワーク経由でのオフロード（ＳＩＰＴＯ＠ＬＮ）可能でないことを管理しても良い。つまり、ローカルネットワーク経由でのオフロードの許可情報を管理しても良い。
【００５５】
なお、ＡＰＮ識別子は、ＬＧＷ２０における特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【００５６】
また、ＬＧＷ２０に関連付けられるＡＰＮ識別子やＳＩＰＴＯ＠ＬＮの許可情報の代わりに、ＬＧＷ２０においてＳＩＰＴＯ＠ＬＮを機能的に利用可能であること（Ｃａｐａｂｉｌｉｔｙ）を管理しても良い。また、ＬＧＷ２０からＬＧＷ２０のＳＩＰＴＯ＠ＬＮのＣａｐａｂｉｌｉｔｙのＯＮ／ＯＦＦ情報が通知された場合、ＬＧＷ２０のＳＩＰＴＯ＠ＬＮのＣａｐａｂｉｌｉｔｙのＯＮ／ＯＦＦ情報に応じて、ＭＭＥ１０がＳＩＰＴＯ＠ＬＮのＣａｐａｂｉｌｉｔｙを管理しても良い。なお、ここで示されるＬＧＷ２０と関連付けられるＡＰＮ識別子やＳＩＰＴＯ＠ＬＮの許可情報は、説明の都合上、第２の許可情報とする。
【００５７】
ＬＨＮ／ＣＳＧ管理表１５４は、図３（ｂ）に示すように、ＬＨＮ識別子（例えば、「ＬＨＮ１」）と、ＣＳＧ識別子（例えば、「ＣＳＧ１」）と、ＬＧＷ識別子（例えば、「ＬＧＷ２０」）と、ＨｅＮＢ識別子（例えば、「ＨｅＮＢ３０」）とを含んで構成されている。
【００５８】
図３（ｂ）に示すＬＨＮ／ＣＳＧ管理表１５４では、ＬＨＮ１、ＣＳＧ１と、ＬＧＷ２０と、ＨｅＮＢ３０とが管理されており、ＬＨＮ１、ＣＳＧ１にＬＧＷ２０とＨｅＮＢ３０とが属していることを示している。なお、ＬＨＮ（Local HeNB Network）識別子は、ＨｅＮＢ３０から送信されることにより、ＬＧＷ２０と関連付けてＬＨＮ／ＣＳＧ管理表１５４で管理される。
【００５９】
ＬＨＮ（Ｌｏｃａｌ  ＨｅＮＢ  Ｎｅｔｗｏｒｋ）識別子は、複数のＨｅＮＢを管理するための識別子である。ＭＭＥ１０は、ＬＨＮ識別子を利用して同じホームネットワークに属すＨｅＮＢを管理する。
【００６０】
また、ＣＳＧ（Closed Subscriber Group）識別子は、ＨｅＮＢ３０と関連付けて管理される。ここで、ＭＭＥ１０は、ＰＤＮコネクション要求に含まれるＣＳＧ識別子を認証することで、ＵＥ５０が接続可能なＨｅＮＢを管理している。なお、ＭＭＥ１０は、ＣＳＧ識別子を利用して、複数のＨｅＮＢを管理することができる。
【００６１】
また、ＨｅＮＢ識別子は、ＵＥが在圏するＨｅＮＢの位置を示す情報であればよく、セル識別子やＣＳＧ識別子、ＨｅＮＢのＩＰアドレスで管理されても良い。
【００６２】
ＳＩＰＴＯ＠ＬＮ許可情報管理表１５６は、図３（ｃ）に示すように、移動通信事業者の許可情報と、ブロードバンド事業者の許可情報と、ＵＥの許可情報と、ＵＥ識別子とを含んで構成される。ここで、ＵＥ識別子「ＵＥ５０」において、移動通信事業者の許可情報「許可」とブロードバンド事業者の許可情報「許可」と、ＵＥの許可情報「許可」と管理されており、移動通信事業者の許可情報とブロードバンド事業者の許可情報と、ＵＥの許可情報のそれぞれにおいて許可されているため、ＵＥ５０はＳＩＰＴＯ＠ＬＮを行うことはできる。ここで、移動通信事業者の許可情報とブロードバンド事業者の許可情報と、ＵＥの許可情報のいずれかにおいて、「不許可」が設定されている場合、ＵＥ５０は、ＳＩＰＴＯ＠ＬＮを行うことはできない。
【００６３】
ＡＰＮ管理表１５８は、ＵＥ毎に管理される加入者情報であり、図３（ｄ）に示すように、ＡＰＮ識別子（例えば、「ＡＰＮ１」）と、許可情報（例えば、「ＳＩＰＴＯ＠ＬＮ  ａｌｌｏｗｅｄ  ｏｎｌｙ」）と、ＵＥ識別子（ＵＥ５０）とを管理（記憶）しており、ＡＰＮ毎、ＵＥ毎に許可情報を管理することで、ＵＥ毎に利用可能なサービスを許可することができる。なお、ここで示される許可情報を説明の都合上、第１の許可情報とする。
【００６４】
ここで、ＡＰＮ（Access  Point Name）識別子は、図３（ｄ）のように管理する移動通信事業者における接続先情報である。ＵＥ５０は、通信に先だって、サービス毎（ＰＤＮ）の接続先を確立する必要がある。ＰＤＮの接続先を取得するために、ＰＤＮコネクション確立手続きにおいてＡＰＮ識別子をＭＭＥ１０へ通知する。これにより、ＰＤＮの接続先を確立することができる。
【００６５】
また、ＭＭＥ１０がＨｅＮＢ３０を経由してＵＥ５０へＡＰＮ管理表１５８に含まれるＡＰＮ識別子を通知することで、ＵＥ５０はＡＰＮ識別子に対応するＰＤＮコネクションを確立することができることを検知する。
【００６６】
図３（ｄ）では、ＡＰＮ１はＵＥ識別子（ＵＥ５０）と、第１の許可情報「ＳＩＰＴＯ＠ＬＮ  ａｌｌｏｗｅｄ  ｏｎｌｙ」と関連付けられており、ＡＰＮ１は、ＵＥ５０に対するＳＩＰＴＯ＠ＬＮの許可情報が管理されており、ＵＥ５０は、ＡＰＮ１において、ＳＩＰＴＯ＠ＬＮを利用可能である。
【００６７】
なお、ＳＩＰＴＯ＠ＬＮ許可情報管理表１５６（図３（ｃ））において、移動通信事業者の許可情報「許可」と、ブロードバンドネットワーク事業者の許可情報「許可」と、ＵＥ５０の許可情報「許可」とそれぞれ管理されている場合に、ＭＭＥ１０は、ＡＰＮ管理表１５８における許可情報として、例えば、「ＳＩＰＴＯ＠ＬＮ  ａｌｌｏｗｅｄ  ｏｎｌｙ」と管理することができ、ＡＰＮ識別子と、第１の許可情報に関連付けられるＵＥ５０は、ＵＥ５０はＳＩＰＴＯ＠ＬＮを利用することができる。
【００６８】
また、ＳＩＰＴＯ＠ＬＮ許可情報管理表１５６において、移動通信事業者の許可情報と、ブロードバンドネットワーク事業者の許可情報と、ＵＥ５０の許可情報と、のいずれかにおいて「不許可（許可されていない）」と管理されている場合、ＡＰＮ管理表１５８における許可情報を「ＳＩＰＴＯ＠ＬＮ  ａｌｌｏｗｅｄ  ｏｎｌｙ」と管理することはできず、ＡＰＮ識別子と、第１の許可情報に関連付けられるＵＥ５０は、ＳＩＰＴＯ＠ＬＮを利用することはできない。
【００６９】
ここで、第１の許可情報には複数の種類があり、「ＳＩＰＴＯ＠ＬＮ  ａｌｌｏｗｅｄ  ｏｎｌｙ」でなく、「ＳＩＰＴＯ  ａｌｌｏｗｅｄ  ｉｎｃｌｕｄｉｎｇ  ＳＩＰＴＯ＠ＬＮ」であっても良く、「ＬＩＰＡ  ａｌｌｏｗｅｄ」や「ＬＩＰＡ  ｃｏｎｄｉｔｉｏｎａｌ」であっても良い。
【００７０】
なお、「ＳＩＰＴＯ  ａｌｌｏｗｅｄ  ＳＩＰＴＯ＠ＬＮ」の第１の許可情報とＡＰＮ識別子が関連付けられた場合、そのＡＰＮ識別子において、ＳＩＰＴＯ＠ＬＮだけでなく、ＳＩＰＴＯ＠ＲＮを利用することができる。
【００７１】
さらに、ここで示されるＡＰＮ１のみでは、ＬＩＰＡのような別のサービスを利用することはできず、ＬＩＰＡを利用する場合には、ＬＩＰＡに対応する別のＡＰＮ識別子を用意する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００７２】
また、ＡＰＮ２のように、移動通信事業者の許可情報が管理されていないＡＰＮ識別子についても、ＵＥ５０は、ＰＤＮコネクションを確立することができる。
【００７３】
［１．２．２  ＬＧＷの構成］
続いて、本実施形態におけるＬＧＷ２０の構成を図４に示す。なお、ＬＧＷ２０は、ＳＩＰＴＯ＠ＬＮを行うことができるＬＧＷ２０である。ＬＧＷ２０は、制御部２００に、ブロードバンドネットワークインタフェース部２２０と、ホームネットワークインタフェース部２３０と、記憶部２５０とがバスを介して接続されている。
【００７４】
制御部２００は、ＬＧＷ２０の全体を制御するための機能部である。制御部２００は、記憶部２５０に記憶されている各種プログラムを読み出して実行することにより各種機能を実現しており、例えばＣＰＵ（Central Process Unit）等により構成されている。
【００７５】
ブロードバンドネットワークインタフェース部２２０は、ブロードバンドネットワーク７と接続されるネットワークインタフェース部である。ブロードバンドネットワークインタフェース部２２０は、ブロードバンドネットワーク７からパケットを受信し、ホームネットワークインタフェース部２３０へ転送する。また、ブロードバンドネットワークインタフェース部２２０は、ホームネットワークインタフェース部２３０からパケットを受信し、ブロードバンドネットワーク７へ転送する。
【００７６】
ホームネットワークインタフェース部２３０は、ホームネットワーク５と接続されるネットワークインタフェース部である。ホームネットワークインタフェース部２３０は、ホームネットワーク５からパケットを受信し、ブロードバンドネットワークインタフェース部２２０に転送する。また、ホームネットワークインタフェース部２３０は、ブロードバンドネットワークインタフェース部２２０からパケットを受信し、ホームネットワーク５へパケットを転送する。
【００７７】
記憶部２５０は、ＬＧＷ２０の動作に必要な各種プログラムや、各種データが記憶されている機能部である。記憶部２５０は、例えば、半導体メモリや、ＨＤＤ（Hard Disk Drive）等により構成されている。
【００７８】
また、記憶部２５０には、ＬＧＷ識別子２５２と、ＨｅＮＢ識別子２５４とが記憶されている。図５に、ＬＧＷ識別子２５２、ＨｅＮＢ識別子２５４の例を示す。
【００７９】
図５（ａ）に示すように、ＬＧＷ識別子２５２には、ＬＧＷ２０が管理されている（ＬＧＷ２０の識別情報が記憶されている）。ここで、ＬＧＷ識別子２５２は、あらかじめ設定されていてもいいし、ブロードバンドネットワーク事業者や、移動通信事業者、ＨｅＮＢ３０から通知されても良い。また、ＩＰアドレスを利用して管理しても良い。また、ＨｅＮＢ識別子２５６には、図５（ｂ）に示すように、ＨｅＮＢ３０が管理されている（ＨｅＮＢ３０の識別情報が記憶されている）。ここで、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【００８０】
［１．２．３  ＨｅＮＢの構成］
図６は、本実施形態におけるＨｅＮＢ３０の構成を示す。ＨｅＮＢ３０は、制御部３００に、ＬＴＥ基地局部３１０と、ホームネットワークインタフェース部３２０と、記憶部３５０とがバスを介して接続されている。
【００８１】
制御部３００は、ＨｅＮＢ３０の全体を制御するための機能部である。制御部３００は、記憶部３５０に記憶されている各種プログラムを読み出して実行することにより各種機能を実現しており、例えばＣＰＵ（Central Process Unit）等で構成されている。
【００８２】
ＬＴＥ基地局部３１０は、Ｅ−ＵＴＲＡＮの基地局として機能し、ＵＥを収容するための機能部である。また、ＬＴＥ基地局部３１０には、アンテナ３１２が接続されている。ホームネットワークインタフェース部３２０は、ホームネットワーク５からパケットを受信し、送信先ＩＰアドレスを書き換えてＬＴＥ基地局部３１０に転送する機能部である。
【００８３】
また、ホームネットワークインタフェース部３２０は、ＬＴＥ基地局部３１０から受信したパケットを転送する。
【００８４】
記憶部３５０は、ＨｅＮＢ３０の各種動作に必要なプログラム、データ等を記憶する機能部であり、ＨｅＮＢ識別子３５２と、ＬＧＷ識別子３５４と、ＬＨＮ管理情報３５６と、ＡＰＮ識別子３５８と、が記憶されている。図７に、ＨｅＮＢ識別子３５２（図７（ａ））、ＬＧＷ識別子３５４（図７（ｂ））、ＬＨＮ管理情報３５６（図７（ｃ））、ＡＰＮ識別子３５８（図７（ｄ））を示す。
【００８５】
図７（ａ）に示すように、ＨｅＮＢ識別子３５２には、ＨｅＮＢ３０が管理されている。ここで、ＨｅＮＢ識別子３５２は、あらかじめ設定されていてもいいし、ブロードバンドネットワーク事業者や、移動通信事業者、ＬＧＷ２０から通知されても良い。ここで、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【００８６】
また、図７（ｂ）に示すように、ＬＧＷ識別子３５４には、ＨｅＮＢ３０に接続されたＬＧＷ２０が管理されている。ここで、ＬＧＷ識別子は、あらかじめ設定されていてもいいし、ブロードバンドネットワーク事業者や、移動通信事業者、ＬＧＷ２０から通知されても良い。また、ＩＰアドレスを利用しても良い。ここで、ＨｅＮＢ識別子（ＨｅＮＢ３０）はＨｅＮＢを示すＩＰアドレスであっても良く、基地局装置を識別するセルＩＤであっても良い。
【００８７】
ＬＨＮ管理情報３５６は、図７（ｃ）に、示すように、Ｌｏｃａｌ  ＨｅＮＢ  Ｎｅｔｗｏｒｋ（ＬＨＮ）を管理するための管理情報（ＬＨＮ管理情報）であり、同じＬＨＮに属するＨｅＮＢ３０やＬＧＷ２０は同じＬＨＮ管理情報が割り当てられる。なお、ＬＨＮ管理情報は、移動通信事業者がＨｅＮＢ３０において手動で設定されるものである。
【００８８】
図７（ｄ）に示すように、ＡＰＮ識別子３５８は、ＡＰＮを識別するための識別子を管理している。なお、ＡＰＮは、サービスへアクセスするための接続先情報を示している。また、ＭＭＥ１０がＨｅＮＢ３０を経由してＵＥ５０へＡＰＮ識別子を通知することで、ＵＥ５０はＡＰＮ１に対応するＰＤＮコネクションを確立することができることを検知する。なお、ＨｅＮＢ３０は、ＭＭＥ１０からＵＥ５０へＡＰＮ識別子を送信する場合、ＨｅＮＢ３０は、ＭＭＥ１０からのＡＰＮ識別子をＡＰＮ識別子３５８に管理しておいても良い。
【００８９】
ここで、ＡＰＮ識別子は移動通信事業者の許可情報と関連付けられており、例えば、「ＳＩＰＴＯ＠ＬＮ  ａｌｌｏｗｅｄ  ｏｎｌｙ」という許可情報に関連付けられたＡＰＮ識別子において、「ＳＩＰＴＯ＠ＬＮ」を利用可能であることを示している。ここで、移動通信事業者の許可情報には複数の種類があり、「ＳＩＰＴＯ＠ＬＮ  ａｌｌｏｗｅｄ  ｏｎｌｙ」でなく、「ＳＩＰＴＯ  ａｌｌｏｗｅｄ  ｉｎｃｌｕｄｉｎｇ  ＳＩＰＴＯ＠ＬＮ」であっても良く、「ＬＩＰＡ  ａｌｌｏｗｅｄ」や「ＬＩＰＡ  ｃｏｎｄｉｔｉｏｎａｌ」であっても良い。
【００９０】
なお、「ＳＩＰＴＯ  ａｌｌｏｗｅｄ  ｉｎｃｌｕｄｉｎｇ  ＳＩＰＴＯ＠ＬＮ」の許可情報とＡＰＮ識別子が関連付けられた場合、そのＡＰＮ識別子において、「ＳＩＰＴＯ＠ＬＮ」だけでなく、「ＳＩＰＴＯ＠ＲＮ」を利用することができる。
【００９１】
さらに、ここで示されるＡＰＮ１のみでは、ＬＩＰＡのような別のサービスを利用することはできず、ＬＩＰＡを利用する場合には、ＬＩＰＡに対応する別のＡＰＮ識別子を用意する必要がある。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【００９２】
なお、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮ（ローカルネットワーク経由のオフロード）を許可または、不許可を示す情報）であっても良い。
【００９３】
［１．２．４  ＵＥの構成］
図８は、本実施形態におけるＵＥ５０の構成を示す。ＵＥ５０は、制御部５００に、ＬＴＥインタフェース部５１０と、記憶部５５０とがバスを介して接続されている。
【００９４】
制御部５００は、ＵＥ５０の全体を制御するための機能部である。制御部５００は、記憶部５５０に記憶されている各種プログラムを読み出して実行することにより各種機能を実現しており、例えばＣＰＵ（Central Process Unit）等で構成されている。
【００９５】
ＬＴＥインタフェース部５１０は、Ｅ−ＵＴＲＡＮの基地局として機能し、ＵＥを収容するための機能部である。また、ＬＴＥインタフェース部５１０には、アンテナ５１２が接続されている。
【００９６】
記憶部５５０は、ＵＥ５０の各種動作に必要なプログラム、データ等を記憶する機能部であり、ＣＳＧ識別子５５２と、ＡＰＮ管理表５５４と、が記憶されている。図９に、ＣＳＧ識別子５５２（図９（ａ））、ＡＰＮ管理表５５４（図９（ｂ）、（ｃ））を示す。
【００９７】
図９（ａ）に示すように、ＣＳＧ識別子５５２は、ＨｅＮＢ３０のＣＳＧ識別子（例えば、「ＣＳＧ識別子１」）が管理されている。ここで、ＨｅＮＢ３０のＣＳＧ識別子が管理されているため、ＵＥ５０はＨｅＮＢ３０へ接続することができる。
【００９８】
図９（ｂ）、（ｃ）に示すように、ＡＰＮ管理表５５４は、ＵＥ５０がＰＤＮコネクション要求を送信する場合に含めるＡＰＮ識別子（例えば、「ＡＰＮ１」）と、ＨｅＮＢ識別子（例えば、「ＨｅＮＢ３０」）とが管理されている。なお、ＡＰＮは、サービスへアクセスするための接続先情報を示している。ＵＥ５０がＡＰＮ管理表５５４に管理されているＨｅＮＢ３０に在圏している場合、ＵＥ５０は、ＡＰＮ１を利用してＰＤＮコネクション要求を送信する。
【００９９】
ここで、ＡＰＮ１によるＰＤＮコネクションを送信するためには、ＵＥ５０が、ＨｅＮＢ５０においてＡＰＮ１を利用できることを検知する必要がある。ＵＥ５０がＡＰＮ１を利用できることを検知する方法として、ＭＭＥ１０がＵＥ５０へＡＰＮ１を通知する方法がある。
【０１００】
また、ＵＥ５０がＡＰＮ１を利用できることを検知する方法として、ＨｅＮＢ３０がＵＥ５０へＡＰＮ１を通知する方法がある。さらに、ＵＥ５０がＡＰＮ１を利用できることを検知する方法として、ＵＥ５０へあらかじめＡＰＮ１をＨｅＮＢ３０において利用できることを管理させておく方法がある。
【０１０１】
なお、図９（ｂ）では、ＵＥ５０は、ＡＰＮ１においてＨｅＮＢ識別子に「ブランク」が設定されており、ＡＰＮ１においてＨｅＮＢ識別子が管理されていない場合には、ＵＥ５０は、ＡＰＮ１を利用してＰＤＮコネクション要求を送信することができない。
【０１０２】
また、図９（ｃ）では、ＵＥ５０は、ＡＰＮ１においてＨｅＮＢ識別子に「ＨｅＮＢ３０」が管理されており、ＵＥ５０は、ＨｅＮＢ３０に在圏している場合に、ＡＰＮ１を利用してＰＤＮコネクション要求を送信することができる。
【０１０３】
また、ＡＰＮ２のように、ＨｅＮＢ識別子が「―」のように、ＵＥ５０がＨｅＮＢを管理する必要のないＡＰＮ識別子については、ＵＥ５０が在圏するＨｅＮＢに関わらず、ＰＤＮコネクションを要求することができる。
【０１０４】
なお、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０１０５】
また、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１０６】
［１．３  処理の説明］
続いて、本実施形態における処理の説明をする。本実施形態では、ＭＭＥ１０は、ＵＥ５０に対するローカルネットワーク経由のオフロードの許可情報および、ＬＧＷ２０に対するローカルネットワーク経由のオフロードの許可情報を管理し、ローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求する。
【０１０７】
ここで、ＭＭＥ１０がローカルネットワーク経由のオフロードの許可情報を通知することとは、ＭＭＥ１０が、ＵＥ５０においてローカルネットワーク経由のオフロード（ＳＩＰＴＯ＠ＬＮ）を許可していることを検知し、ＬＧＷ２０においてローカルネットワーク経由でのオフロード（ＳＩＰＴＯ＠ＬＮ）が可能であることを検知し、ＵＥ５０においてローカルネットワーク経由のオフロード（ＳＩＰＴＯ＠ＬＮ）が可能であることを示すことである。
【０１０８】
また、ＭＭＥ１０は、ＵＥ５０においてＳＩＰＴＯ＠ＬＮを許可していることを検知せず、ＬＧＷ２０がＳＩＰＴＯ＠ＬＮが可能であることのみを検知して、ＵＥ５０がＨｅＮＢ３０においてＳＩＰＴＯ＠ＬＮ可能であることを示しても良い。
【０１０９】
また、ＨｅＮＢ３０においてＳＩＰＴＯ＠ＬＮ可能であることを通知するだけでなく、ＨｅＮＢ３０においてＳＩＰＴＯ＠ＬＮ可能でないことを通知しても良い。つまり、ローカルネットワーク経由でのオフロードの可否を通知しても良い。
【０１１０】
なお、ＵＥ５０には、図９（ｂ）のように、ＡＰＮ１においてＨｅＮＢ識別子に「ブランク」が設定されており、ＵＥ５０は、ＡＰＮ１を利用してＰＤＮコネクション要求を送信することができない。なお、ＡＰＮ識別子は、サービスへアクセスするための接続先情報を示している。
【０１１１】
ここで、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１１２】
また、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０１１３】
また、ＭＭＥ１０は、ＵＥ５０のローカルネットワーク経由のオフロードの第１の許可情報および、ＬＧＷ２０のローカルネットワーク経由のオフロードの第２の許可情報を管理し、第１の許可情報と第２の許可情報とを基にしたローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０１１４】
本実施形態では、まず、ＭＭＥ１０は、ＵＥ５０がＨｅＮＢ３０に在圏していることを検知する。なお、ＨｅＮＢ３０は、ローカルネットワーク経由でのオフロード（ＳＩＰＴＯ＠ＬＮ）可能なＬＧＷ２０に接続しており、ＭＭＥ１０はあらかじめ、ＨｅＮＢ３０にＳＩＰＴＯ＠ＬＮ可能なＬＧＷ２０が接続されていることを検知している。
【０１１５】
ここで、ＭＭＥ１０は、ＵＥ５０がＨｅＮＢ３０に在圏していることを検知する方法として、ＵＥ５０が送信するＰＤＮコネクション要求により検知する方法がある。ＵＥ５０は、ＳＩＰＴＯ＠ＬＮとは異なるＰＤＮコネクションを確立する。例えば、ＵＥ５０からＨｅＮＢ３０、ＳＧＷ４０を経由して、ＰＧＷ６０までの移動通信事業者のネットワークを経由するＰＤＮコネクションを確立することができる。
【０１１６】
ＵＥ５０が送信するＰＤＮコネクション要求に含めるＡＰＮ識別子は、ＡＰＮ１である必要はなく、ＡＰＮ２やＡＰＮ３であっても良い。
【０１１７】
ここで、ＡＰＮ２やＡＰＮ３では、移動通信事業者のネットワークを経由するＰＤＮコネクションやＳＩＰＴＯ＠ＲＮのＰＤＮコネクションのようなＳＩＰＴＯ＠ＬＮと異なるサービスを確立可能である。
【０１１８】
つまり、ＵＥ５０は、ＳＩＰＴＯ＠ＬＮ可能なＡＰＮ１とは異なるＡＰＮ識別子を含め、ＰＤＮコネクション要求を行う。なお、ＡＰＮ識別子は、サービスへアクセスするための接続先情報を示している。ここで、ＭＭＥ１０は、ＨｅＮＢ３０を経由してＰＤＮコネクション要求を受信したことを検知し、ＭＭＥ１０はＵＥ５０がＨｅＮＢ３０に在圏していることを検知する。
【０１１９】
ここで、ＭＭＥ１０が、ＵＥ５０がＨｅＮＢ３０に在圏していることを検知するための一連の手続きについて、図１０を用いて説明する。なお、ＨｅＮＢ３０はＳＩＰＴＯ＠ＬＮ可能なＬＧＷ２０に接続している。
【０１２０】
まず、ＵＥ５０は、ＡＰＮ１とは異なるＡＰＮ識別子を含めて、ＰＤＮコネクション要求をＭＭＥ１０へ送信する（Ｓ１０００）。なお、ＡＰＮ識別子は、サービスへアクセスするための接続先情報を示している。ここで含められるＡＰＮ識別子は、例えば、移動通信事業者ネットワークへのＰＤＮコネクションを確立することができるＡＰＮ２であっても良い。また、ＰＤＮコネクション要求は、ＨｅＮＢ３０を経由して送信される。
【０１２１】
続いて、ＰＤＮコネクション要求を受信したＭＭＥ１０は、ＧＷ選択を行う（Ｓ１００２）。ＧＷ選択を行うために、ＭＭＥ１０は、まずＰＤＮコネクション要求に含まれたＡＰＮ識別子を確認する。続いて、ＭＭＥ１０は、ＡＰＮ識別子に設定された許可情報を確認する。ＭＭＥ１０は、ＡＰＮ識別子に設定された許可情報を利用して移動通信事業者ネットワークにおいてＰＤＮコネクションを確立することを決定する。続いて、ＭＭＥ１０は、移動通信事業者ネットワークにおいてＰＤＮコネクションを確立できるＰＧＷ６０を選択する。
【０１２２】
さらに、ＭＭＥ１０は、ＵＥ５０がＳＩＰＴＯ＠ＬＮ可能であることを検知する（Ｓ１００４）。ＭＭＥ１０は、ＵＥ５０においてローカルネットワーク経由のオフロード（ＳＩＰＴＯ＠ＬＮ）可能であることを、ＵＥ５０が在圏するＨｅＮＢ３０が接続するＬＧＷ２０においてローカルネットワーク経由のオフロード（ＳＩＰＴＯ＠ＬＮ）可能であることを検出することによって、検知することができる。
【０１２３】
図１１を用いて、ＭＭＥ１０が、ローカルネットワーク経由のオフロード（ＳＩＰＴＯ＠ＬＮ）可能なＬＧＷ２０の検出について説明する。まず、ＭＭＥ１０は、ＵＥ５０においてＳＩＰＴＯ＠ＬＮ可能であることを検知する（Ｓ１５０２）。ここで、ＭＭＥ１０は、ＡＰＮ管理表１５８（図３（ｄ））において、ＡＰＮ識別子（ＡＰＮ１）と第１の許可情報「ＳＩＰＴＯ＠ＬＮ  ａｌｌｏｗｅｄ  ｏｎｌｙ」と、ＵＥ識別子（ＵＥ５０）とが関連付けられていることを確認し、ＵＥ５０においてＳＩＰＴＯ＠ＬＮ可能であること（ＵＥ５０に対してＳＩＰＴＯ＠ＬＮが許可されていること）を検知できる。
【０１２４】
ここで、ＡＰＮ識別子は、サービスへアクセスするための接続先情報を示している。なお、ＳＩＰＴＯ＠ＬＮ許可情報管理表１５６において、移動通信事業者の許可情報「許可」と、ブロードバンドネットワーク事業者の許可情報「許可」と、ＵＥ５０（ユーザ）の許可情報「許可」とそれぞれ管理されている場合に、ＭＭＥ１０は、ＡＰＮ管理表１５８における第１の許可情報として、例えば、「ＳＩＰＴＯ＠ＬＮ  ａｌｌｏｗｅｄ  ｏｎｌｙ」と管理することができ、ＵＥ５０はＳＩＰＴＯ＠ＬＮを利用可能である。
【０１２５】
また、ＳＩＰＴＯ＠ＬＮ許可情報管理表１５６において、移動通信事業者における許可情報と、ブロードバンドネットワーク事業者の許可情報と、ＵＥ５０（ユーザ）の許可情報とのいずれかにおいて「不許可」と管理されている場合、ＭＭＥ１０は、ＡＰＮ管理表１５８における第１の許可情報を「ＳＩＰＴＯ＠ＬＮ  ａｌｌｏｗｅｄ  ｏｎｌｙ」と管理することはできず、ＳＩＰＴＯ＠ＬＮを利用することはできない。ここで、ＵＥ５０がＳＩＰＴＯ＠ＬＮが許可されていることを、ＡＰＮ識別子を利用して検知したが、ＵＥのＳＩＰＴＯ＠ＬＮの許可を示す情報であればよい。
【０１２６】
ここで、ＭＭＥ１０は、ＵＥ５０がＳＩＰＴＯ＠ＬＮ可能であることを検知できない場合、ＭＭＥ１０は、ＳＩＰＴＯ＠ＬＮ可能であることを通知しないことを決定する（Ｓ１５１２）。
【０１２７】
ＵＥ５０がＳＩＰＴＯ＠ＬＮ可能であることを検知したＭＭＥ１０は、ＨｅＮＢ３０の確認を行う（Ｓ１５０４）。Ｓ１００２においてＵＥ５０がＭＭＥ１０へＰＤＮコネクション要求を送信した際に経由したＨｅＮＢ３０を確認することで、ＭＭＥ１０は、ＵＥ５０が在圏するＨｅＮＢ３０を検知することができる。
【０１２８】
さらに、ＭＭＥ１０は、ＨｅＮＢ３０からＬＧＷを抽出する（Ｓ１５０６）。ＭＭＥ１０は、ＬＨＮ／ＣＳＧ管理表１５４を利用して、Ｓ１５０４で確認したＨｅＮＢ３０からＬＧＷ２０を抽出する。このとき、ＬＨＮ識別子やＣＳＧ識別子により、ＵＥ５０がＨｅＮＢ３０やＬＧＷ２０に接続できることを検知しても良い。
【０１２９】
続いて、ＭＭＥ１０は、Ｓ１５０６で抽出したＬＧＷ２０がＳＩＰＴＯ＠ＬＮ可能であることを検知する（Ｓ１５０８）。ここで、ＭＭＥ１０は、ＬＧＷ２０がＳＩＰＴＯ＠ＬＮ可能であることを、ＨｅＮＢ管理表１５２において、ＬＧＷ識別子とともに関連づけられたＡＰＮ識別子（第２の許可情報）によりＬＧＷ２０がＳＩＰＴＯ＠ＬＮ可能であることを検知することができる。なお、ＡＰＮ識別子は、サービスへアクセスするための接続先情報を示している。ここで、ＬＧＷ２０は、ＡＰＮ１と関連付けられているため、ＡＰＮ１に対応するＰＤＮコネクションを確立することができる。
【０１３０】
なお、ＡＰＮ１は、ＡＰＮ管理表１５８において、移動通信事業者の許可情報が「ＳＩＰＴＯ＠ＬＮ  ａｌｌｏｗｅｄ  ｏｎｌｙ」と設定されているため、ＡＰＮ１は、ＳＩＰＴＯ＠ＬＮのみを利用可能なＡＰＮ識別子であることが分かる。つまり、ＬＧＷ２０は、ＳＩＰＴＯ＠ＬＮ可能であることを検知することができる。なお、ＬＧＷ２０において、ＳＩＰＴＯ＠ＬＮだけでなく、他のサービスをサポートする場合には、ＳＩＰＴＯ＠ＬＮだけでなく、他のサービスの検知を行っても良い。
【０１３１】
ここで、ＡＰＮ識別子は、特定のサービスを許可するための許可情報（第２の許可情報）であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１３２】
また、ＬＧＷ２０がＳＩＰＴＯ＠ＬＮ可能であることを検知するために、ＭＭＥ１０は、ＬＨＮ／ＣＳＧ管理表１５４におけるＬＨＮ識別子やＣＳＧ識別子を利用しても良い。これは、例えば、ＬＨＮ識別子とＳＩＰＴＯ＠ＬＮ可能であることを示す情報を関連付けて管理しておき、ＬＧＷ２０が属しているＬＨＮにおいて、ＳＩＰＴＯ＠ＬＮ可能である場合に、ＳＩＰＴＯ＠ＬＮ可能であると検知することができる。さらに、例えば、ＣＳＧ識別子とＳＩＰＴＯ＠ＬＮ可能であることを示す情報を関連付けて管理しておき、ＨｅＮＢ３０が属しているＣＳＧにおいて、ＳＩＰＴＯ＠ＬＮ可能である場合に、ＳＩＰＴＯ＠ＬＮ可能であると検知することができる。
【０１３３】
なお、抽出したＬＧＷ２０でＳＩＰＴＯ＠ＬＮ可能であることを検知できなかったＭＭＥ１０は、ＳＩＰＴＯ＠ＬＮ可能であることを通知しないことを決定する（Ｓ１５１２）。なお、ＳＩＰＴＯ＠ＬＮ可能であることを通知しない場合、以降の手続きで、ＳＩＰＴＯ＠ＬＮ可能であることを示す許可情報を含める必要はない。
【０１３４】
一方、抽出したＬＧＷ２０においてＳＩＰＴＯ＠ＬＮ可能であることを検知したＭＭＥ１０は、ＳＩＰＴＯ＠ＬＮ可能であることを通知することを決定する（１５１０）。
【０１３５】
以上の手続きにより、ＭＭＥ１０は、ＵＥ５０においてローカルネットワーク経由のオフロード（ＳＩＰＴＯ＠ＬＮ）可能であることを、ＵＥ５０に対するＳＩＰＴＯ＠ＬＮを許可していること（第１の許可情報）を検出し、ＵＥ５０が在圏するＨｅＮＢ３０が接続するＬＧＷ２０においてローカルネットワーク経由のオフロード（ＳＩＰＴＯ＠ＬＮ）可能であることを検出すること（第２の許可情報）によって、検知することができる。
【０１３６】
つまり、ＵＥ５０に対する第１の許可情報を検出し、ＬＧＷ２０に対する第２の許可情報を検出することによって、ＵＥ５０において第１の許可情報と第２の許可情報を基にしたＳＩＰＴＯ＠ＬＮの許可情報を通知することができる。
【０１３７】
また、ＳＩＰＴＯ＠ＬＮ可能であることを通知するだけでなく、ＳＩＰＴＯ＠ＬＮ可能でないことを通知しても良い。つまり、ローカルネットワーク経由でのオフロードの可否を通知しても良い。
【０１３８】
また、図１２に示すようにＭＭＥ１０が、ローカルネットワーク経由のオフロード（ＳＩＰＴＯ＠ＬＮ）可能なＬＧＷ２０を検出しても良い。図１１では、ＭＭＥ１０は、ＵＥ５０がＳＩＰＴＯ＠ＬＮ可能であることを検知していた（Ｓ１５０２）が、図１２では、ＭＭＥ１０は、ＵＥ５０がＳＩＰＴＯ＠ＬＮ可能であることを検知することなしに、ＳＩＰＴＯ＠ＬＮ可能であることを検知し、ＳＩＰＴＯ＠ＬＮ可能であることを通知することを決定することができる。
【０１３９】
なお、図１２では、ＭＭＥ１０は、ＵＥ５０に対するＳＩＰＴＯ＠ＬＮを可能であること（第１の許可情報）を検知しないため、ＭＭＥ１０において、ＵＥ５０に対するＳＩＰＴＯ＠ＬＮの第１の許可情報を検出するための処理負荷を必要としないというメリットがある。
【０１４０】
図１２を用いて、ＭＭＥ１０が、ローカルネットワーク経由のオフロード（ＳＩＰＴＯ＠ＬＮ）可能なＬＧＷ２０の検出について説明する。まず、ＭＭＥ１０は、ＨｅＮＢ３０の確認を行う（Ｓ１６０４）。Ｓ１００２においてＵＥ５０がＭＭＥ１０へＰＤＮコネクション要求を送信した際に経由したＨｅＮＢ３０を確認することで、ＭＭＥ１０は、ＵＥ５０が在圏するＨｅＮＢ３０を検知することができる。
【０１４１】
次に、ＭＭＥ１０は、ＨｅＮＢ３０からＬＧＷを抽出する（Ｓ１６０６）。ＭＭＥ１０は、ＬＨＮ／ＣＳＧ管理表１５４を利用して、Ｓ１６０４で確認したＨｅＮＢ３０からＬＧＷ２０を抽出する。このとき、ＬＨＮ識別子やＣＳＧ識別子により、ＵＥ５０がＨｅＮＢ３０やＬＧＷ２０に接続できることを検知しても良い。
【０１４２】
続いて、ＭＭＥ１０は、Ｓ１６０６で抽出したＬＧＷ２０がＳＩＰＴＯ＠ＬＮ可能であることを検知する（Ｓ１６０８）。ここで、ＭＭＥ１０は、ＬＧＷ２０がＳＩＰＴＯ＠ＬＮ可能であることを、ＨｅＮＢ管理表１５２において、ＬＧＷ識別子とともに関連づけられたＡＰＮ識別子（第２の許可情報）によりＬＧＷ２０がＳＩＰＴＯ＠ＬＮ可能であることを検知することができる。なお、ＡＰＮ識別子は、サービスへアクセスするための接続先情報を示している。ここで、ＬＧＷ２０は、ＡＰＮ１と関連付けられているため、ＡＰＮ１に対応するＰＤＮコネクションを確立することができる。
【０１４３】
なお、ＡＰＮ１は、ＡＰＮ管理表１５８において、「ＳＩＰＴＯ＠ＬＮ  ａｌｌｏｗｅｄ  ｏｎｌｙ」と設定されているため、ＡＰＮ１は、ＳＩＰＴＯ＠ＬＮのみを利用可能なＡＰＮ識別子であることが分かる。つまり、ＬＧＷ２０は、ＳＩＰＴＯ＠ＬＮ可能であることを検知することができる。なお、ＬＧＷ２０において、ＳＩＰＴＯ＠ＬＮだけでなく、他のサービスをサポートする場合には、ＳＩＰＴＯ＠ＬＮだけでなく、他のサービスの検知を行っても良い。
【０１４４】
ここで、ＡＰＮ識別子は、特定のサービスを許可するための許可情報（第２の許可情報）であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１４５】
また、ＬＧＷ２０がＳＩＰＴＯ＠ＬＮ可能であることを検知するために、ＭＭＥ１０は、ＬＨＮ／ＣＳＧ管理表１５４におけるＬＨＮ識別子やＣＳＧ識別子を利用しても良い。これは、例えば、ＬＨＮ識別子とＳＩＰＴＯ＠ＬＮ可能であることを示す情報を関連付けて管理しておき、ＬＧＷ２０が属しているＬＨＮにおいて、ＳＩＰＴＯ＠ＬＮ可能である場合に、ＳＩＰＴＯ＠ＬＮ可能であると検知することができる。
【０１４６】
さらに、例えば、ＣＳＧ識別子とＳＩＰＴＯ＠ＬＮ可能であることを示す情報を関連付けて管理しておき、ＨｅＮＢ３０が属しているＣＳＧにおいて、ＳＩＰＴＯ＠ＬＮ可能である場合に、ＳＩＰＴＯ＠ＬＮ可能であると検知することができる。
【０１４７】
なお、抽出したＬＧＷ２０でＳＩＰＴＯ＠ＬＮ可能であることを検知できなかったＭＭＥ１０は、ＳＩＰＴＯ＠ＬＮ可能であることを通知しないことを決定する（Ｓ１６１２）。なお、ＳＩＰＴＯ＠ＬＮ可能であることを通知しない場合、以降の手続きで、ＳＩＰＴＯ＠ＬＮ可能であることを示す許可情報を含める必要はない。
【０１４８】
一方、抽出したＬＧＷ２０においてＳＩＰＴＯ＠ＬＮ可能であることを検知したＭＭＥ１０は、ＳＩＰＴＯ＠ＬＮ可能であることを通知することを決定する（Ｓ１６１０）。
【０１４９】
以上の手続きにより、ＭＭＥ１０は、ＵＥ５０においてローカルネットワーク経由のオフロード（ＳＩＰＴＯ＠ＬＮ）可能であることを、ＵＥ５０が在圏するＨｅＮＢ３０が接続するＬＧＷ２０においてローカルネットワーク経由のオフロード（ＳＩＰＴＯ＠ＬＮ）可能であること（第２の許可情報）を検出することによって、検知することができる。つまり、ＬＧＷ２０に対する第２の許可情報を検出することによって、ＵＥ５０においてＳＩＰＴＯ＠ＬＮの許可情報を通知することができる。
【０１５０】
また、ＳＩＰＴＯ＠ＬＮ可能であることを通知するだけでなく、ＳＩＰＴＯ＠ＬＮ可能でないことを通知しても良い。つまり、ローカルネットワーク経由でのオフロードの可否を通知しても良い。
【０１５１】
以降の手続きでは、ＳＩＰＴＯ＠ＬＮ可能であることを示す情報を通知することとして説明を行うが、ＳＩＰＴＯ＠ＬＮ可能であることを示す許可情報を含まなければ、以降の手続きは同様に利用可能である。
【０１５２】
図１０に戻り、続いて、ＭＭＥ１０は、ＳＧＷ４０へセッション生成要求を送信する（Ｓ１００６）。
【０１５３】
次に、セッション生成要求を受信したＳＧＷ４０は、ＰＧＷ６０とＳＧＷ４０間においてセッションを生成するためのセッション生成要求をＰＧＷ６０に送信する（Ｓ１００８）。セッション生成要求を受信したＰＧＷ６０は、ＰＧＷ６０および、ＳＧＷ４０間においてセッション生成を行い、ＳＧＷ４０へセッション生成応答に送信する（Ｓ１０１０）。ＰＧＷ６０からセッション生成応答を受信したＳＧＷ４０は、セッション生成応答をＭＭＥ１０へ送信する（Ｓ１０１２）。
【０１５４】
ＳＧＷ４０からセッション生成応答を受信したＭＭＥ１０は、ベアラ設定要求をＨｅＮＢ３０へ送信する（Ｓ１０１４）。なお、ＭＭＥ１０は、Ｓ１００４で検知したＵＥ５０においてＳＩＰＴＯ＠ＬＮ可能であることを示すＳＩＰＴＯ＠ＬＮの許可情報（第１の許可情報と、第２の許可情報とを基にしたＳＩＰＴＯ＠ＬＮの許可情報又はＳＩＰＴＯ＠ＬＮの第２の許可情報）を含める。ここで、ＵＥに対するＳＩＰＴＯ＠ＬＮの許可情報は、ＡＰＮ識別子（ＡＰＮ１）であっても良い。ここで、ＡＰＮ識別子は、サービスへアクセスするための接続先情報を示している。
【０１５５】
なお、ＡＰＮ識別子（ＡＰＮ１）は、ＭＭＥ１０のＡＰＮ管理表１５８（図３（ｄ））において、許可情報「ＳＩＰＴＯ＠ＬＮ  ａｌｌｏｗｅｄ  ｏｎｌｙ」と、ＵＥ識別子「ＵＥ５０」とともに管理されている。
【０１５６】
ここで、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。
【０１５７】
なお、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。また、ＳＩＰＴＯ＠ＬＮ可能でないことを示す情報を通知しても良い。
【０１５８】
さらに、ＬＧＷ２０において、ＳＩＰＴＯ＠ＬＮだけでなく、他のサービスをサポートする場合には、ＳＩＰＴＯ＠ＬＮだけでなく、他のサービスについて通知しても良い。
【０１５９】
ＭＭＥ１０からベアラ設定要求を受信したＨｅＮＢ３０は、ＲＲＣ接続再設定をＵＥ５０へ送信する（Ｓ１０１６）。なお、ＨｅＮＢ３０は、ＭＭＥ１０から通知されたＵＥ５０がＳＩＰＴＯ＠ＬＮ可能であることを示す情報（第１の許可情報と第２の許可情報を基にしたＳＩＰＴＯ＠ＬＮの許可情報又はＳＩＰＴＯ＠ＬＮの第２の許可情報）を含める。また、ＵＥ５０に対するＳＩＰＴＯ＠ＬＮの許可情報は、ＡＰＮ識別子（ＡＰＮ１）を通知しても良い。
【０１６０】
このとき、ＵＥ５０は、図９（ｃ）に示すように、ＲＲＣ接続再設定を送信したＨｅＮＢのＨｅＮＢ識別子（ＨｅＮＢ３０）をＡＰＮ識別子（ＡＰＮ１）と関連付けて管理する。なお、ＡＰＮ識別子は、サービスへアクセスするための接続先情報を示している。ＡＰＮ１とＨｅＮＢ３０を関連付けて管理することにより、ＵＥ５０は、ＨｅＮＢ３０においてＡＰＮ１を利用したＰＤＮコネクションを送信することができる。
【０１６１】
ここで、図９（ｃ）において管理されるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０１６２】
さらに、図９（ｃ）において、ＨｅＮＢ識別子と関連付けられるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１６３】
また、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。
【０１６４】
ここで、ＳＩＰＴＯ＠ＬＮ可能でないことを示す情報を通知しても良い。また、ＬＧＷ２０において、ＳＩＰＴＯ＠ＬＮだけでなく、他のサービスをサポートする場合には、ＳＩＰＴＯ＠ＬＮだけでなく、他のサービスについて通知しても良い。
【０１６５】
ＨｅＮＢ３０からＲＲＣ接続再設定を受信したＵＥ５０は、ＲＲＣ接続再設定を送信してきたＨｅＮＢ３０においてＲＲＣ接続を再設定する。
【０１６６】
ＲＲＣ接続再設定を完了したＵＥ５０は、ＲＲＣ接続再設定完了をＨｅＮＢ３０へ送信する（Ｓ１０１８）。ＲＲＣ接続再設定完了を受信したＨｅＮＢ３０は、ベアラ設定応答をＭＭＥ１０へ送信する（Ｓ１０２０）。
【０１６７】
さらに、ＵＥ５０は、通信を行えるかを確認するために、直接通信を行う（Ｓ１０２２）。直接通信を受信したＨｅＮＢ３０は、ＰＤＮコネクション完了をＭＭＥ１０へ送信する（Ｓ１０２４）。ＰＤＮコネクション完了を受信したＭＭＥ１０は、ベアラ設定要求をＳＧＷ４０へ送信する（Ｓ１０２６）。なお、ここでは、ＵＥ５０および、ＰＧＷ６０間において、ＰＤＮコネクションが完了したことを通知するためのメッセージである。ベアラ設定要求を受信したＳＧＷ４０は、ＵＥ５０および、ＰＧＷ６０間において、ＰＤＮコネクションが完了したことを確認し、ベアラ変更応答をＭＭＥ１０へ返信する（Ｓ１０２８）。
【０１６８】
以上の手続きにより、ＭＭＥは、ＵＥ５０に対するＳＩＰＴＯ＠ＬＮの第１の許可情報および、ＬＧＷ２０に対するＳＩＰＴＯ＠ＬＮの第２の許可情報を検知し、ＵＥ５０にローカルネットワーク経由のオフロード（ＳＩＰＴＯ＠ＬＮ）の許可情報を通知し、ＵＥはローカルネットワーク経由のオフロード（ＳＩＰＴＯ＠ＬＮ）可能であることを検知することができる。
【０１６９】
また、ＭＭＥ１０は、ＬＧＷに対するＳＩＰＴＯ＠ＬＮの第２の許可情報を検知し、ＵＥ５０にローカルネットワーク経由のオフロード（ＳＩＰＴＯ＠ＬＮ）の許可情報を通知し、ＵＥはローカルネットワーク経由のオフロード（ＳＩＰＴＯ＠ＬＮ）可能であることを検知することができる。
【０１７０】
このとき、ＵＥ５０は、図９（ｃ）に示すように、ＲＲＣ接続再設定を送信したＨｅＮＢ識別子（ＨｅＮＢ３０）をＡＰＮ識別子（ＡＰＮ１）と関連付けて管理する。なお、ＡＰＮ識別子は、サービスへアクセスするための接続先情報を示している。ＡＰＮ識別子（ＡＰＮ１）とＨｅＮＢ識別子（ＨｅＮＢ３０）を関連付けて管理することにより、ＵＥ５０は、ＨｅＮＢ３０においてＡＰＮ１を利用したＰＤＮコネクションを送信することができる。
【０１７１】
これにより、ＵＥは、ＡＰＮ１を利用してＳＩＰＴＯ＠ＬＮのＰＤＮコネクション確立手続きを開始するためのＰＤＮコネクション要求を、ローカルネットワーク経由のオフロード（ＳＩＰＴＯ＠ＬＮ）可能である場合（ＨｅＮＢ３０に在圏している場合）にのみ送信することができる。
ここで、図９（ｃ）において管理されるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０１７２】
また、図９（ｃ）において管理されるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０１７３】
また、ＳＩＰＴＯ＠ＬＮ可能であることを通知するだけでなく、ＳＩＰＴＯ＠ＬＮ可能でないことを通知しても良い。つまり、ローカルネットワーク経由でのオフロードの可否を通知しても良い。
【０１７４】
なお、Ｓ１００４におけるＳＩＰＴＯ＠ＬＮの検知において、ＳＩＰＴＯ＠ＬＮ可能であることを通知しないことを決定していた場合、ＵＥ５０は、図９（ｃ）に示すように、ＲＲＣ接続再設定を送信したＨｅＮＢ識別子（ＨｅＮＢ３０）をＡＰＮ識別子（ＡＰＮ１）と関連付けて管理しなくてもよい。また、ＵＥ５０は、ＵＥ５０が在圏するＨｅＮＢ３０においてＳＩＰＴＯ＠ＬＮ可能であることを通知されていないため、以降の手続きを行わなくて良い。
【０１７５】
ＨｅＮＢ３０においてＳＩＰＴＯ＠ＬＮ可能であることを検知したＵＥ５０は、ＭＭＥ１０にＳＩＰＴＯ＠ＬＮを確立するためのＰＤＮコネクション要求を送信する。図１３にＳＩＰＴＯ＠ＬＮのＰＤＮコネクションを確立するための手続きを示す。
【０１７６】
ＨｅＮＢ３０においてＳＩＰＴＯ＠ＬＮ可能であることを検知したＵＥ５０は、ＰＤＮコネクション要求を送信する（Ｓ１７０２）。このとき、ＵＥ５０は、ＡＰＮ１を含めて送信する。なお、ＡＰＮ１は、ＭＭＥ１０において、ＳＩＰＴＯ＠ＬＮ  ｏｎｌｙという許可情報が対応づけられており、ＵＥ５０は、ＳＩＰＴＯ＠ＬＮのＰＤＮコネクション要求を行っている。
【０１７７】
続いて、ＰＤＮコネクション要求を受信したＭＭＥ１０は、ＵＥ５０が在圏するＨｅＮＢ３０に接続するＬＧＷ２０においてＳＩＰＴＯ＠ＬＮ可能であることを検知する。ここで、ＭＭＥ１０は、ＳＩＰＴＯ＠ＬＮ可能であるＬＧＷ２０を検索し、ＬＧＷ２０をＳＩＰＴＯ＠ＬＮのＰＤＮコネクションの確立先（アンカー装置）として決定する。
【０１７８】
ＬＧＷ２０において、ＳＩＰＴＯ＠ＬＮのＰＤＮコネクションを確立することを決定したＭＭＥ１０は、ＳＧＷ４０へセッション生成要求を送信する（Ｓ１７０４）。ここで、ＭＭＥ１０は、ＳＧＷ４０へＰＤＮコネクションの確立先となるＬＧＷ２０に関する情報及びＡＰＮ１に関する情報を含める。
【０１７９】
ＭＭＥ１０からセッション生成要求を受信したＳＧＷ４０は、ＰＤＮコネクションの確立先となるＬＧＷ２０を確認する。続いて、ＳＧＷ４０は、ＰＤＮコネクションの確立先となるＬＧＷ２０へセッション生成要求をＬＧＷ２０へ送信する（Ｓ１７０６）。このとき、ＳＧＷ４０は、セッション生成要求にＡＰＮ１に関する情報を含める。
【０１８０】
ＳＧＷ４０からセッション生成要求を受信したＬＧＷ２０は、セッション生成要求に含まれたＡＰＮ１に関する情報を利用して、ＭＭＥ１０からＡＰＮ１におけるサービス（ＳＩＰＴＯ＠ＬＮ）のＰＤＮコネクションを確立することを決定する。また、ＳＧＷ４０は、セッション生成要求に含まれたＵＥ５０に関する情報を利用して、ＵＥ５０とＳＩＰＴＯ＠ＬＮのＰＤＮコネクションを確立することを決定する。
【０１８１】
ＬＧＷ２０は、ＵＥ５０とＳＩＰＴＯ＠ＬＮのＰＤＮコネクションを確立することを決定し、セッション生成応答をＳＧＷ４０へ送信する（Ｓ１７０８）。ＳＧＷ４０は、ＬＧＷ２０からのセッション生成応答により、ＬＧＷ２０がＵＥ５０とＳＩＰＴＯ＠ＬＮのＰＤＮコネクションを確立できることを確認する。
【０１８２】
続いて、ＳＧＷ４０は、セッション生成応答をＭＭＥ１０へ送信する（Ｓ１７１０）。ＭＭＥ１０は、ＳＧＷ４０からのセッション生成応答により、ＬＧＷ２０が、ＵＥ５０とＳＩＰＴＯ＠ＬＮのＰＤＮコネクションを確立できることを確認する。
【０１８３】
次に、ＭＭＥ１０は、ベアラ設定要求をＨｅＮＢ３０へ送信する（Ｓ１７１２）。ここで、ＨｅＮＢ３０はＵＥ５０が在圏するＨｅＮＢである。また、ベアラ設定要求には、ＵＥ５０に関する情報と、ＳＩＰＴＯ＠ＬＮの接続先となるＬＧＷ２０に関する情報と、ＡＰＮ１に関する情報と、が含まれる。
【０１８４】
ベアラ設定要求を受信したＨｅＮＢ３０は、ベアラ設定要求に含まれたＵＥ５０に関する情報を確認し、ＵＥ５０へＲＲＣ接続再設定を送信する（Ｓ１７１４）。ＲＲＣ接続再設定には、ＬＧＷ２０に関する情報と、ＡＰＮ１に関する情報とが含まれる。
【０１８５】
ＲＲＣ接続再設定を受信したＵＥ５０は、ＬＧＷ２０に関する情報と、ＡＰＮ１に関する情報を確認し、すでに在圏しているＨｅＮＢ５０とＲＲＣ接続再設定を行う。ＲＲＣ接続再設定を完了したことを確認したＵＥ５０は、ＲＲＣ接続再設定完了をＨｅＮＢ３０へ送信する（Ｓ１７１６）。ＲＲＣ接続再設定完了を受信したＨｅＮＢ３０は、ＲＲＣ接続再設定を完了したことを確認し、ベアラ設定応答をＭＭＥ１０へ送信する（Ｓ１７１８）。
【０１８６】
さらに、ＵＥ５０は、ＨｅＮＢ３０と直接通信を行う（Ｓ１７２０）。ＨｅＮＢ３０は、直接通信できることを確認し、ＰＤＮ接続完了をＭＭＥ１０へ送信する（Ｓ１７２２）。ＰＤＮ接続完了を受信したＭＭＥ１０は、ベアラ変更要求をＳＧＷ４０へ送信する（Ｓ１７２４）。ここでは、ＬＧＷ２０と、ＨｅＮＢ３０と、ＵＥ５０の間でベアラが設定されていればよく、ＳＧＷ４０からベアラを設定しないように設定する。
【０１８７】
ＳＧＷ４０は、ＳＧＷ４０からベアラを設定しないように設定し、ベアラ変更応答をＭＭＥ１０へ送信する（Ｓ１７２６）。
【０１８８】
さらに、ＨｅＮＢ３０は、ＬＧＷ２０へＳＩＰＴＯ＠ＬＮセッション生成要求を行う（Ｓ１７２８）。ここで、ＨｅＮＢ３０はＬＧＷ２０とＳＩＰＴＯ＠ＬＮのセッションを生成するよう要求する。
【０１８９】
ＳＩＰＴＯ＠ＬＮセッション生成要求を受信したＬＧＷ２０は、ＨｅＮＢ３０とＳＩＰＴＯ＠ＬＮのセッションを確立する。ＬＧＷ２０は、ＨｅＮＢ３０とＳＩＰＴＯ＠ＬＮのセッションを確立したことを確認し、ＨｅＮＢ３０へＳＩＰＴＯ＠ＬＮセッション生成応答を送信する（Ｓ１７３０）。
【０１９０】
以上の手続きにより、ＵＥ５０はＳＩＰＴＯ＠ＬＮのＰＤＮコネクションを確立することができる。
【０１９１】
以上により、ＭＭＥ１０は、ＵＥ５０に対するローカルネットワーク経由のオフロードの第１の許可情報をおよび、ＬＧＷ２０のローカルネットワーク経由のオフロードの第２の許可情報を管理し、第１の許可情報と第２の許可情報を基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０１９２】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０１９３】
また、ＭＭＥ１０は、ＵＥ５０のローカルネットワーク経由のオフロードの第１の許可情報および、ＬＧＷ２０のローカルネットワーク経由のオフロードの第２の許可情報を管理し、第１の許可情報と第２の許可情報を基にローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０１９４】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０１９５】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０１９６】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクション確立できないことを示す情報を送信するためのシグナリングの増大を防ぐことができる。
【０１９７】
なお、ＳＩＰＴＯ＠ＬＮ可能であることを示す情報として、ＭＭＥがＡＰＮ識別子を通知する場合、ＡＰＮ識別子に設定される許可情報が、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能である。
【０１９８】
［１．４  変形例１]
上述した実施形態では、図１０におけるＳ１００２において、ＵＥ５０はＡＰＮ１とは異なるＡＰＮ識別子を含めてＰＤＮコネクション要求を送信したが、ＡＰＮ１を含めてＰＤＮコネクション要求を送信しても良い。なお、ＡＰＮ識別子は、サービスにアクセスするための接続先情報である。この場合、ＡＰＮ１はＳＩＰＴＯ＠ＬＮだけでなく、移動通信事業者のネットワークを経由するＰＤＮコネクションを確立することができる。
【０１９９】
つまり、図１０の手続きにおけるＳ１００２において、ＵＥ５０がＡＰＮ１を含めてＰＤＮコネクション要求を送信し、移動通信事業者のＰＤＮコネクションを確立することができる。
【０２００】
以上により、ＭＭＥ１０は、ＵＥ５０のローカルネットワーク経由のオフロードの第１の許可情報および、ＬＧＷ２０のローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０２０１】
ＵＥは、ＡＰＮ１によるＰＤＮコネクション要求により、ＳＩＰＴＯ＠ＬＮのＰＤＮコネクションを確立できる場合には、ＳＩＰＴＯ＠ＬＮのＰＤＮコネクションを確立することができ、ＳＩＰＴＯ＠ＬＮのＰＤＮコネクションを確立できない場合には、移動通信事業者のネットワークを経由するＰＤＮコネクションを確立することができ、ＵＥは、不必要にＰＤＮコネクション要求を送信することを防止し、ＵＥの消費電力を浪費することを防ぐことができる。
【０２０２】
また、ＵＥが、ＡＰＮ１によるＰＤＮコネクション要求により、ＳＩＰＴＯ＠ＬＮのＰＤＮコネクションを確立できる場合には、ＳＩＰＴＯ＠ＬＮのＰＤＮコネクションを確立し、ＳＩＰＴＯ＠ＬＮのＰＤＮコネクションを確立できない場合には、移動通信事業者のネットワークを経由するＰＤＮコネクションを確立することによって、ＭＭＥは、ＳＩＰＴＯ＠ＬＮ可能なＬＧＷを選択できる場合に、ＬＧＷの選択を行い、ＳＩＰＴＯ＠ＬＮ可能なＬＧＷを選択できない場合には、移動通信事業者のネットワークを経由するＰＤＮコネクションを確立するためのＰＧＷを選択することによって、不必要なＬＧＷの選択を防止し、ＭＭＥに処理負荷を与えることを防ぐことができる。
【０２０３】
さらに、ＵＥが、ＰＤＮコネクション要求を送信し、ＳＩＰＴＯ＠ＬＮのＰＤＮコネクションを確立できる場合には、ＳＩＰＴＯ＠ＬＮのＰＤＮコネクションを確立し、ＳＩＰＴＯ＠ＬＮのＰＤＮコネクションを確立できない場合には、移動通信事業者のネットワークを経由するＰＤＮコネクションを確立することによって、ＭＭＥは、ＰＤＮコネクション確立できないことを示す情報を送信するためのシグナリングの増大を防ぐことができる。
【０２０４】
［１．５  変形例２]
上述した実施形態では、ＭＭＥ１０は、ＵＥ５０へＡＰＮ識別子を通知することで、ＳＩＰＴＯ＠ＬＮを利用できることを通知していたが、ＡＰＮ識別子に限らず、ＳＩＰＴＯ＠ＬＮが可能であることを示す情報（フラグ）を通知しても良い。ここで、ＳＩＰＴＯ＠ＬＮフラグとは、図１４に示すように、ＵＥ５０が接続するＨｅＮＢ３０において、ＳＩＰＴＯ＠ＬＮが利用可能であることを示す情報（ＯＮまたはＯＦＦ）である。なお、ＳＩＰＴＯ＠ＬＮフラグとともに、ＨｅＮＢ識別子やＣＳＧ識別子を同時に通知しても良い。また、ＵＥ５０が接続するＨｅＮＢ３０において、ＳＩＰＴＯ＠ＬＮが利用可能でない場合、ＳＩＰＴＯ＠ＬＮフラグを通知しなくても良い。
【０２０５】
つまり、ＭＭＥ１０は、ＵＥ５０へＳＩＰＴＯ＠ＬＮ可能であることを通知し、ＳＩＰＴＯ＠ＬＮ可能であることを通知されたＵＥ５０は、ＰＤＮコネクション要求を送信することが可能となる。
【０２０６】
ここで、ＵＥ５０は、図９（ｃ）に示すように、ＲＲＣ接続再設定を送信したＨｅＮＢ識別子（ＨｅＮＢ３０）をＡＰＮ１と関連付けて管理する。ＡＰＮ１とＨｅＮＢ３０を関連付けて管理することにより、ＵＥ５０は、ＨｅＮＢ３０においてＡＰＮ１を利用したＰＤＮコネクションを送信することができる。
【０２０７】
ここで、ＵＥ５０はＳＩＰＴＯ＠ＬＮ可能であるＨｅＮＢの管理は、ＨｅＮＢ単位で管理するだけでなく、ＣＳＧ識別子単位で管理しても良く、ＬＨＮ識別子単位で管理しても良い。また、ＭＭＥ１０からの通知なしにあらかじめＵＥ５０にＳＩＰＴＯ＠ＬＮ可能なＨｅＮＢを管理させておき、ＭＭＥ１０のＳＩＰＴＯ＠ＬＮの通知に関わらず、ＰＤＮコネクション要求を送信できるようにしておいても良い。
【０２０８】
また、ＳＩＰＴＯ＠ＬＮフラグでは、ＬＩＰＡのような別のサービスを利用することはできず、ＬＩＰＡを利用するためには、ＭＭＥ１０は、ＵＥ５０へＬＩＰＡ可能であることを示す情報を通知する必要がある。
【０２０９】
これは、ＬＩＰＡ可能なＬＧＷ２０は、必ずしもＳＩＰＴＯ＠ＬＮを利用できるとは限らないことを示している。また、ＳＩＰＴＯ＠ＬＮ可能なＬＧＷ２０において、必ずしもＬＩＰＡを利用できるとは限らないことを示している。また、ＬＧＷ２０は、ＬＩＰＡもＳＩＰＴＯ＠ＬＮも両方利用できる場合もある。
【０２１０】
以上の手続きにより、ＭＭＥ１０は、ＵＥ５０のローカルネットワーク経由のオフロードの第１の許可情報及びＬＧＷ２０のローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０２１１】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０２１２】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０２１３】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０２１４】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクション確立できないことを示す情報を送信するためのシグナリングの増大を防ぐことができる。
【０２１５】
[２．第２実施形態]
続いて、第２実施形態について説明する。第１実施形態では、ＵＥがＭＭＥへＰＤＮコネクション要求を送信することにより、ＭＭＥは、ＳＩＰＴＯ＠ＬＮが可能であることの検知を行っていたが、第２実施形態では、ＵＥの移動によって行われるＵＥがＭＭＥへ送信するＴｒａｃｋｉｎｇ  Ａｒｅａ  Ｕｐｄａｔｅ（ＴＡＵ）要求を利用して、ＭＭＥは、ローカルネットワーク経由でのオフロード（ＳＩＰＴＯ＠ＬＮ）が可能であることを検知する。
【０２１６】
ここで、ＳＩＰＴＯ＠ＬＮを利用可能であることを検知するとは、ＵＥ５０においてＳＩＰＴＯ＠ＬＮを許可していることを検知し、ＵＥが在圏するＨｅＮＢが接続するＬＧＷにおいて、ＳＩＰＴＯ＠ＬＮが可能であることをＭＭＥが検知することである。
【０２１７】
つまり、ＭＭＥ１０は、ＵＥ５０に対するローカルネットワーク経由のオフロードの第１の許可情報および、ＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求する。
【０２１８】
ここで、ＭＭＥ１０がローカルネットワーク経由のオフロードの許可情報を通知することとは、ＭＭＥ１０が、ＵＥ５０に対してローカルネットワーク経由のオフロード（ＳＩＰＴＯ＠ＬＮ）を許可していることを検知し、ＬＧＷ２０に対してローカルネットワーク経由でのオフロード（ＳＩＰＴＯ＠ＬＮ）が可能であることを検知し、ＵＥ５０においてローカルネットワーク経由のオフロード（ＳＩＰＴＯ＠ＬＮ）が可能であることを示すことである。
【０２１９】
また、ＭＭＥ１０は、ＵＥ５０のローカルネットワーク経由のオフロードの第１の許可情報をおよび、ＬＧＷ２０のローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０２２０】
以下、ＭＭＥ１０が、ＵＥ５０が送信するＴＡＵ要求を受信し、ＭＭＥ１０は、ＵＥ５０に対するＳＩＰＴＯ＠ＬＮを可能であること（第１の許可情報）を検知し、ＵＥ５０が在圏するＨｅＮＢ３０が接続するＬＧＷ２０に対するＳＩＰＴＯ＠ＬＮ可能であること（第２の許可情報）を検知し、ＴＡＵ受理を利用してＵＥ５０へＨｅＮＢ３０においてＳＩＰＴＯ＠ＬＮ可能であることを示す情報を通知する。
【０２２１】
なお、ここで、ＳＩＰＴＯ＠ＬＮ可能であることを示す情報は、ＡＰＮ識別子（ＡＰＮ１）であっても良い。ここで、ＡＰＮ識別子は、サービスにアクセスするための接続先情報である。なお、ＳＩＰＴＯ＠ＬＮ可能であることを示す情報は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２２２】
ＭＭＥ１０は、ＵＥ５０においてＳＩＰＴＯ＠ＬＮ可能であることを検知し、ＭＭＥ１０は、ＵＥ５０へＳＩＰＴＯ＠ＬＮ可能であることを示す情報を通知する一連の手続きについて、図１５を用いて説明する。
【０２２３】
なお、ＭＭＥ１０がＵＥ５０へＳＩＰＴＯ＠ＬＮ可能であることを示す情報として、ＡＰＮ識別子を利用する。なお、ＡＰＮ識別子は、サービスへアクセスするための接続先情報である。ここで利用するＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２２４】
また、ＵＥ５０には、図９（ｂ）のように、ＡＰＮ１においてＨｅＮＢ識別子に「ブランク」が設定されており、ＵＥ５０は、ＡＰＮ１を利用してＰＤＮコネクション要求を送信することができない。
【０２２５】
図９（ｂ）におけるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０２２６】
また、図９（ｂ）におけるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２２７】
なお、本実施形態における移動通信システムは第１実施形態で説明した図１を同様に利用できるため、その詳細な説明を省略する。また、コアネットワーク３におけるＭＭＥ１０、ホームネットワーク５におけるＬＧＷ２０、ＨｅＮＢ３０は、それぞれ第１実施形態と同様の構成であるため、詳細な説明を省略する。
【０２２８】
ＵＥ５０は、移動を検知してＨｅＮＢ３０へＴＡＵ要求を送信する（Ｓ２００２）。次に、ＨｅＮＢ３０は、ＭＭＥ１０へＴＡＵ要求を送信する（Ｓ２００４）。
【０２２９】
ＴＡＵ要求を受信したＭＭＥ１０は、ＳＩＰＴＯ＠ＬＮ可能であることを検知する（Ｓ２００６）。ここで、ＳＩＰＴＯ＠ＬＮ可能であることを検知する方法は、第１実施形態における図１１又は図１２で説明した方法を同様に利用することができる。
【０２３０】
これにより、ＭＭＥ１０は、ＵＥ５０においてローカルネットワーク経由のオフロード（ＳＩＰＴＯ＠ＬＮ）可能であることを、ＵＥ５０に対してＳＩＰＴＯ＠ＬＮの第１の許可情報を検出し、ＵＥ５０が在圏するＨｅＮＢ３０が接続するＬＧＷ２０に対するローカルネットワーク経由のオフロード（ＳＩＰＴＯ＠ＬＮ）第２の許可情報を検出することによって、検知することができる。これにより、ＭＭＥ１０は、第１の許可情報と第２の許可情報を基にしたＳＩＰＴＯ＠ＬＮの許可情報を送信することができる。
【０２３１】
また、ＭＭＥ１０は、ＵＥ５０においてローカルネットワーク経由のオフロード（ＳＩＰＴＯ＠ＬＮ）可能であることを、ＵＥ５０が在圏するＨｅＮＢ３０が接続するＬＧＷ２０に対するローカルネットワーク経由のオフロード（ＳＩＰＴＯ＠ＬＮ）の許可情報（第２の許可情報）を検出することによって、検知することができる。これにより、ＭＭＥ１０は、ＳＩＰＴＯ＠ＬＮの許可情報を送信することができる。
【０２３２】
以降の手続きでは、ＳＩＰＴＯ＠ＬＮ可能であることを示す情報を通知することとして説明を行うが、ＳＩＰＴＯ＠ＬＮ可能であることを通知しない場合であっても、ＳＩＰＴＯ＠ＬＮ可能であることを示す許可情報を含まなければ、以降の手続きは同様に利用可能である。
【０２３３】
続いて、ＭＭＥ１０は、ＳＧＷ４０へセッション生成要求を送信する（Ｓ２００８）。次に、セッション生成要求を受信したＳＧＷ４０は、ベアラ変更要求をＰＧＷ６０に送信する（Ｓ２０１０）。
【０２３４】
ＰＧＷ６０は、ＳＧＷ４０へベアラ変更応答を送信する（Ｓ２０１２）。ＰＧＷ６０からセッション生成応答を受信したＳＧＷ３０は、セッション生成応答をＭＭＥ１０へ送信する（Ｓ２０１４）。
【０２３５】
ＳＧＷ４０からセッション生成応答を受信したＭＭＥ１０は、ＴＡＵ（Tracking Area Update）受理をＵＥ５０へ送信する（Ｓ２０１６）。ここで、ＭＭＥ１０は、Ｓ２００６で検知した第１の許可情報及び第２の許可情報を基にしたＳＩＰＴＯ＠ＬＮ可能であることを示す情報として、ＳＩＰＴＯ＠ＬＮの許可情報を含める。なお、ＳＩＰＴＯ＠ＬＮの許可情報として、ＡＰＮ識別子（ＡＰＮ１）を含めてもよい。なお、ＡＰＮ識別子は、サービスへアクセスするための接続先情報である。
【０２３６】
また、ＡＰＮ識別子（ＡＰＮ１）は、ＭＭＥ１０のＡＰＮ管理表１５８（図３（ｄ））において、許可情報「ＳＩＰＴＯ＠ＬＮ  ａｌｌｏｗｅｄ  ｏｎｌｙ」と、ＵＥ識別子「ＵＥ５０」とともに管理されている。
【０２３７】
なお、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙという許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。また、ＳＩＰＴＯ＠ＬＮ可能でないことを示す情報を通知しても良い。
【０２３８】
さらに、ＳＩＰＴＯ＠ＬＮの許可情報は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２３９】
さらに、ＬＧＷ２０において、ＳＩＰＴＯ＠ＬＮだけでなく、他のサービスをサポートする場合には、ＳＩＰＴＯ＠ＬＮだけでなく、他のサービスについて通知しても良い。
【０２４０】
ＴＡＵ受理を受信したＵＥ５０は、ＴＡＵ受理に含まれたＳＩＰＴＯ＠ＬＮの許可情報（第１の許可情報と第２の許可情報とを基にしたＳＩＰＴＯ＠ＬＮの許可情報又はＳＩＰＴＯ＠ＬＮの第２の許可情報）を受信し、ＨｅＮＢ３０においてＳＩＰＴＯ＠ＬＮ可能であることを検知する。ここで、ＵＥ５０は、ＨｅＮＢ３０において、ＳＩＰＴＯ＠ＬＮ可能であることを関連付けて管理する。ここで、ＴＡＵ受理において、ＡＰＮ識別子（ＡＰＮ１）が含まれている場合には、ＡＰＮ識別子に応じたサービス（ＳＩＰＴＯ＠ＬＮ）を利用可能であると判断する。
【０２４１】
このとき、ＵＥ５０は、図９（ｃ）に示すように、ＴＡＵ受理を送信したＨｅＮＢ識別子（ＨｅＮＢ３０）をＡＰＮ識別子（ＡＰＮ１）と関連付けて管理する。ＡＰＮ１とＨｅＮＢ３０を関連付けて管理することにより、ＵＥ５０は、ＨｅＮＢ３０においてＡＰＮ１を利用したＰＤＮコネクションを送信することができる。
【０２４２】
ここで、図９（ｃ）に含まれるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。また、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２４３】
ＳＩＰＴＯ＠ＬＮ可能であると管理されたＨｅＮＢにＵＥ５０が在圏した場合、ＭＭＥ１０からの通知なしに、ＵＥ５０はＰＤＮコネクション要求を送信することができる。ここで、ＵＥ５０は、ＳＩＰＴＯ＠ＬＮ可能であるＨｅＮＢの管理において、ＨｅＮＢ単位で管理するだけでなく、ＣＳＧ識別子単位で管理しても良く、ＬＨＮ識別子単位で管理しても良い。また、ＭＭＥ１０からの通知なしにあらかじめＵＥ５０にＳＩＰＴＯ＠ＬＮ可能なＨｅＮＢを管理させておき、ＭＭＥ１０のＳＩＰＴＯ＠ＬＮの通知に関わらず、ＰＤＮコネクション要求を送信できるようにしておいても良い。
【０２４４】
続いて、ＵＥ５０は、ＴＡＵ完了をＭＭＥ１０へ送信する（Ｓ２０１８）。これにより、ＵＥ５０は、ＵＥ５０の位置をＭＭＥ１０へ通知したことを確認し、ＴＡＵ手続きを完了したことをＭＭＥ１０へ示すことができる。
【０２４５】
以上の手続きにより、ＭＭＥ１０は、ＵＥ５０に対するローカルネットワーク経由のオフロードの第１の許可情報をおよび、ＬＧＷ２０に対するローカルネットワーク経由のオフロードの第２の許可情報を管理し、第１の許可情報と第２の許可情報を基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０２４６】
また、ＭＭＥ１０は、ＬＧＷ２０に対するローカルネットワーク経由のオフロードの第２の許可情報を管理し、ローカルネットワーク経由のオフロードの第２の許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０２４７】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０２４８】
このとき、ＵＥ５０は、図９（ｃ）に示すように、ＴＡＵ受理を送信したＨｅＮＢ識別子（ＨｅＮＢ３０）をＡＰＮ識別子（ＡＰＮ１）と関連付けて管理する。ＡＰＮ識別子（ＡＰＮ１）とＨｅＮＢ識別子（ＨｅＮＢ３０）を関連付けて管理することにより、ＵＥ５０は、ＨｅＮＢ３０においてＡＰＮ１を利用したＰＤＮコネクションを送信することができる。なお、ＡＰＮ識別子は、サービスへアクセスするための接続先情報である。これにより、ＵＥは、ＡＰＮ１を利用してＳＩＰＴＯ＠ＬＮのＰＤＮコネクション確立手続きを開始するためのＰＤＮコネクション要求を、ローカルネットワーク経由のオフロード（ＳＩＰＴＯ＠ＬＮ）可能である場合（ＨｅＮＢ３０に在圏している場合）にのみ送信することができる。
【０２４９】
ここで、図９（ｃ）において管理されるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０２５０】
また、図９（ｃ）において管理されるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２５１】
また、ＳＩＰＴＯ＠ＬＮ可能であることを通知するだけでなく、ＳＩＰＴＯ＠ＬＮ可能でないことを通知しても良い。つまり、ローカルネットワーク経由でのオフロードの可否を通知しても良い。
【０２５２】
なお、Ｓ２００６におけるＳＩＰＴＯ＠ＬＮの検知において、ＳＩＰＴＯ＠ＬＮ可能であることを通知しないことを決定していた場合、ＵＥ５０は、図９（ｃ）に示すように、ＲＲＣ接続再設定を送信したＨｅＮＢ識別子（ＨｅＮＢ３０）をＡＰＮ識別子（ＡＰＮ１）と関連付けて管理しなくてもよい。また、ＵＥ５０は、ＵＥ５０が在圏するＨｅＮＢ３０においてＳＩＰＴＯ＠ＬＮ可能であることを通知されていないため、以降の手続きを行わなくて良い。
【０２５３】
また、ＳＩＰＴＯ＠ＬＮ可能であることを検知したＵＥ５０は、ＳＩＰＴＯ＠ＬＮのＰＤＮコネクションを確立するための手続きとして、第１の実施形態で記載の図１３の手続きを同様に利用可能である。
【０２５４】
以上により、ＭＭＥ１０は、ＵＥ５０に対するローカルネットワーク経由のオフロードの第１の許可情報および、ＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０２５５】
また、ＭＭＥ１０は、ＵＥ５０に対するローカルネットワーク経由のオフロードの第１の許可情報をおよび、ＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０２５６】
つまり、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０２５７】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０２５８】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクションを確立できないことを示す情報を送信するためのシグナリングの増大を防ぐことができる。
【０２５９】
なお、ＳＩＰＴＯ＠ＬＮ可能であることを示す情報として、ＭＭＥがＡＰＮ識別子を通知する場合、ＡＰＮ識別子に設定される許可情報が、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能である。
【０２６０】
［３．第３実施形態]
第１実施形態、第２実施形態では、ＵＥからＨｅＮＢを経由して、ＭＭＥへ送信する情報により、ＳＩＰＴＯ＠ＬＮ可能であることを検知し、ＭＭＥはＵＥへＳＩＰＴＯ＠ＬＮ可能であることを通知していた。
【０２６１】
第３実施形態では、Ｓｏｕｒｃｅ  ＨｅＮＢがＭＭＥへ送信する情報により、ＵＥ５０においてＳＩＰＴＯ＠ＬＮを許可していることを検知し、Ｔａｒｇｅｔ  ＨｅＮＢにおいてローカルネットワーク経由でのオフロード（ＳＩＰＴＯ＠ＬＮ）可能であることを検知し、ＭＭＥはＵＥへＴａｒｇｅｔ  ＨｅＮＢにおいてローカルネットワーク経由でのオフロード（ＳＩＰＴＯ＠ＬＮ）可能であることを通知する。
【０２６２】
つまり、ＭＭＥ１０は、ＵＥ５０に対するローカルネットワーク経由のオフロードの第１の許可情報および、ＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求する。
【０２６３】
ここで、ＭＭＥ１０がローカルネットワーク経由のオフロードの許可情報を通知することとは、ＭＭＥ１０が、ＵＥ５０においてローカルネットワーク経由のオフロード（ＳＩＰＴＯ＠ＬＮ）を許可していることを検知し、ＬＧＷ２０においてローカルネットワーク経由でのオフロード（ＳＩＰＴＯ＠ＬＮ）が可能であることを検知し、ＵＥ５０においてローカルネットワーク経由のオフロード（ＳＩＰＴＯ＠ＬＮ）が可能であることを示すことである。
【０２６４】
また、ＭＭＥ１０は、ＵＥ５０に対するローカルネットワーク経由のオフロードの第１の許可情報をおよび、ＬＧＷ２０に対するローカルネットワーク経由のオフロードの第２の許可情報を管理し、ローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０２６５】
また、第１実施形態、第２実施形態では、在圏しているＨｅＮＢにおいて、ＵＥがＳＩＰＴＯ＠ＬＮ可能であることを検知していた。第３実施形態では、ハンドオーバ先のＨｅＮＢ（Ｔａｒｇｅｔ  ＨｅＮＢ）において、ＵＥがＳＩＰＴＯ＠ＬＮ可能であることを検知し、ＭＭＥは、ＵＥへＳＩＰＴＯ＠ＬＮ可能であることを通知する。
【０２６６】
ここで、ＳＩＰＴＯ＠ＬＮフラグでは、ＬＩＰＡのような別のサービスを利用できることを検知することはできず、ＬＩＰＡを利用できるＬＧＷ２０を検出する場合には、ＬＩＰＡ可能であることを示す情報を必要とする。これは、ＳＩＰＴＯ＠ＬＮ可能なＬＧＷ２０は、必ずしもＬＩＰＡを利用できるとは限らないことを示している。また、ＬＩＰＡ可能なＬＧＷ２０において、必ずしもＳＩＰＴＯ＠ＬＮを利用できるとは限らないことを示している。さらに、ＬＧＷ２０は、ＳＩＰＴＯ＠ＬＮもＬＩＰＡも両方利用できる場合もある。
【０２６７】
図１６を用いて、ＭＭＥはＵＥにおいてＳＩＰＴＯ＠ＬＮ可能であることを検知し、ＭＭＥがＵＥへＳＩＰＴＯ＠ＬＮ可能であることを示す情報を通知する手続きについて説明する。
【０２６８】
なお、ＭＭＥ１０がＵＥ５０へＳＩＰＴＯ＠ＬＮ可能であることを示す情報として、ＡＰＮ識別子を利用する。なお、ＡＰＮ識別子は、サービスにアクセスするための接続先情報である。ここで利用するＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２６９】
ここで、ＵＥ５０には、図９（ｂ）のように、ＡＰＮ１においてＨｅＮＢ識別子に「ブランク」が設定されており、ＵＥ５０は、ＡＰＮ１を利用してＰＤＮコネクション要求を送信することができない。なお、ＡＰＮ識別子は、サービスにアクセスするための接続先情報である。
【０２７０】
図９（ｂ）におけるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０２７１】
また、図９（ｂ）におけるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２７２】
なお、本実施形態における移動通信システムは第１実施形態で説明した図１を同様に利用できるため、その詳細な説明を省略する。また、コアネットワーク３におけるＭＭＥ１０、ホームネットワーク５におけるＬＧＷ２０、ＨｅＮＢ３０は、それぞれ第１実施形態と同様の構成であるため、詳細な説明を省略する。また、本実施形態におけるＳｏｕｒｃｅ  ＨｅＮＢおよび、Ｔａｒｇｅｔ  ＨｅＮＢはＨｅＮＢ３０と同様の構成である。ここで、Ｓｏｕｒｃｅ  ＨｅＮＢはＨｅＮＢである必要はなく、基地局装置（ｅＮＢ）であってもよい。
【０２７３】
Ｓｏｕｒｃｅ  ＨｅＮＢは、ＵＥ５０の移動を検知してＭＭＥ１０へハンドオーバ要求を送信する（Ｓ３００２）。なお、ＵＥ５０の移動の検知には、ＵＥ５０が定期的に送信する制御情報により判断することができる。ここで、Ｓｏｕｒｃｅ  ＨｅＮＢはハンドオーバ要求に、Ｔａｒｇｅｔ  ＨｅＮＢに関する情報を含める。
【０２７４】
ハンドオーバ要求を受信したＭＭＥ１０は、ハンドオーバ要求に含められたＴａｒｇｅｔ  ＨｅＮＢを検知し、ＵＥ５０がＳＩＰＴＯ＠ＬＮ可能であることを検知する（Ｓ３００４）。ここで、ＳＩＰＴＯ＠ＬＮ可能であることを検知する方法は、ハンドオーバ要求に含められたＴａｒｇｅｔ  ＨｅＮＢを対象として第１実施形態における図１１又は図１２で説明した方法を同様に利用することができる。これにより、ＭＭＥ１０は、ＵＥ５０においてローカルネットワーク経由のオフロード（ＳＩＰＴＯ＠ＬＮ）可能であることを、ＵＥ５０に対するＳＩＰＴＯ＠ＬＮの第１の許可情報を検出し、ＵＥ５０のハンドオーバ先であるＨｅＮＢ３０が接続するＬＧＷ２０に対するローカルネットワーク経由のオフロード（ＳＩＰＴＯ＠ＬＮ）の第２の許可情報を検出することによって、検知することができる。これにより、ＭＭＥ１０は、第１の許可情報と第２の許可情報を基にしたＳＩＰＴＯ＠ＬＮの許可情報を送信することができる。
【０２７５】
また、ＭＭＥ１０は、ＵＥ５０においてローカルネットワーク経由のオフロード（ＳＩＰＴＯ＠ＬＮ）可能であることを、ＵＥ５０のハンドオーバ先であるＨｅＮＢ３０が接続するＬＧＷ２０に対するローカルネットワーク経由のオフロード（ＳＩＰＴＯ＠ＬＮ）の第２の許可情報を検出することによって、検知することができる。これにより、ＭＭＥ１０は、ＳＩＰＴＯ＠ＬＮの許可情報を送信することができる。
【０２７６】
以降の手続きでは、ＳＩＰＴＯ＠ＬＮ可能であることを示す情報を通知することとして説明を行うが、ＳＩＰＴＯ＠ＬＮ可能であることを通知しない場合であっても、ＳＩＰＴＯ＠ＬＮ可能であることを示す許可情報を含まなければ、以降の手続きは同様に利用可能である。
【０２７７】
続いて、ＭＭＥ１０は、Ｔａｒｇｅｔ  ＨｅＮＢへハンドオーバ要求を送信する（Ｓ３００６）。次に、ハンドオーバ要求を受信したＴａｒｇｅｔ  ＨｅＮＢは、Ｓｏｕｒｃｅ  ＨｅＮＢへハンドオーバできることを確認して、ＭＭＥへハンドオーバ要求応答を送信する（Ｓ３００８）。
【０２７８】
Ｔａｒｇｅｔ  ＨｅＮＢからハンドオーバ要求を受信したＭＭＥ１０は、ＳＩＰＴＯ＠ＬＮを利用可能であれば、ハンドオーバ命令をＳｏｕｒｃｅ  ＨｅＮＢへ送信する（Ｓ３０１０）。なお、ＭＭＥ１０は、Ｓ３００４で検知したＳＩＰＴＯ＠ＬＮ可能であることを示す情報として、Ｓ３３００４で検知したＳＩＰＴＯ＠ＬＮの許可情報（第１の許可情報と第２の許可情報を基にしたＳＩＰＴＯ＠ＬＮの許可情報または、ＳＩＰＴＯ＠ＬＮの第２の許可情報）を含める。ここで、第１の許可情報と第２の許可情報を基にしたＳＩＰＴＯ＠ＬＮの許可情報は、ＡＰＮ識別子（ＡＰＮ１）であっても良い。なお、ＡＰＮ識別子は、サービスにアクセスするための接続先情報である。
【０２７９】
なお、ＡＰＮ１は、ＭＭＥ１０のＡＰＮ管理表１５８において、許可情報「ＳＩＰＴＯ＠ＬＮ  ａｌｌｏｗｅｄ  ｏｎｌｙ」と、ＵＥ識別子「ＵＥ５０」とともに管理されている。ここで、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。
【０２８０】
また、ＳＩＰＴＯ＠ＬＮの許可情報（第１の許可情報と第２の許可情報とを基にしたＳＩＰＴＯ＠ＬＮの許可情報又はＳＩＰＴＯ＠ＬＮの第２の許可情報）は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２８１】
また、ＳＩＰＴＯ＠ＬＮ可能でないことを示す情報を通知しても良い。さらに、ＬＧＷ２０において、ＳＩＰＴＯ＠ＬＮだけでなく、他のサービスをサポートする場合には、ＳＩＰＴＯ＠ＬＮだけでなく、他のサービスについて通知しても良い。
【０２８２】
ＭＭＥ１０からハンドオーバ命令を受信したＳｏｕｒｃｅ  ＨｅＮＢは、ハンドオーバ命令をＵＥ５０へ送信する（Ｓ３０１２）。なお、Ｓｏｕｒｃｅ  ＨｅＮＢは、ＭＭＥ１０から通知されたＵＥ５０がＳＩＰＴＯ＠ＬＮ可能であることを示す情報を含める。
【０２８３】
ここで含められるＳＩＰＴＯ＠ＬＮ可能であることを示す情報は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。また、ＳＩＰＴＯ＠ＬＮが可能であることを示す情報は、ＡＰＮ識別子を通知しても良い。なお、ＡＰＮ識別子は、サービスにアクセスするための接続先情報である。
【０２８４】
ここで、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。ここで、ＳＩＰＴＯ＠ＬＮ可能でないことを示す情報を通知しても良い。また、ＬＧＷ２０において、ＳＩＰＴＯ＠ＬＮだけでなく、他のサービスをサポートする場合には、ＳＩＰＴＯ＠ＬＮだけでなく、他のサービスについて通知しても良い。
【０２８５】
Ｓｏｕｒｃｅ  ＨｅＮＢからハンドオーバ命令を受信したＵＥ５０は、ハンドオーバ命令に含まれているＴａｒｇｅｔ  ＨｅＮＢに対してＲＲＣ接続を再設定する。ここで、ＵＥ５０は、ＨｅＮＢ３０から通知されたＳＩＰＴＯ＠ＬＮ可能であることを示す情報を受け取る。
【０２８６】
なお、ＳＩＰＴＯ＠ＬＮが可能であることを示す情報は、ＡＰＮ識別子であっても良い。ここで、ＡＰＮ識別子に設定される許可情報は、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能であり、ＳＩＰＴＯ  ａｌｌｏｗｅｄ  ｉｎｃｌｕｄｉｎｇ  ＳＩＰＴＯ＠ＬＮを設定されたＡＰＮ識別子では、ＳＩＰＴＯ＠ＬＮに加え、ＳＩＰＴＯ＠ＲＮも利用可能であり、ＳＩＰＴＯ＠ＬＮ  ｏｎｌｙでは、ＳＩＰＴＯ＠ＬＮだけを利用可能であることを示している。ここで、ＳＩＰＴＯ＠ＬＮ可能でないことを示す情報を通知しても良い。
【０２８７】
ＳＩＰＴＯ＠ＬＮが可能であることを示す情報を受け取ったＵＥ５０は、ＴａｒｇｅｔＨｅＮＢにおいて、ＳＩＰＴＯ＠ＬＮ可能であることを検知する。また、ＳＩＰＴＯ＠ＬＮが可能でないことを示す情報を受け取った場合やＳＩＰＴＯ＠ＬＮ可能であることを示す情報を受け取っていない場合、ＵＥ５０はＳＩＰＴＯ＠ＬＮ可能でないと検知する。
【０２８８】
ここで、ＵＥ５０は、図９（ｃ）のように、ＨｅＮＢ３０において、ＡＰＮ識別子（ＡＰＮ１）を関連付けて管理しておいても良い。ここで、ＡＰＮ識別子（ＡＰＮ１）が含まれている場合には、ＡＰＮ識別子に応じたサービス（ＳＩＰＴＯ＠ＬＮ）を利用可能であると判断する。
【０２８９】
このとき、ＵＥ５０は、図９（ｃ）に示すように、ＨｅＮＢ識別子（ＨｅＮＢ３０）をＡＰＮ識別子（ＡＰＮ１）と関連付けて管理する。ＡＰＮ１とＨｅＮＢ３０を関連付けて管理することにより、ＵＥ５０は、ＨｅＮＢ３０においてＡＰＮ１を利用したＰＤＮコネクションを送信することができる。
【０２９０】
ここで、図９（ｃ）に含まれるＨｅＮＢ識別子は、ＵＥが在圏するＨｅＮＢの位置を示す情報であればよく、セル識別子やＣＳＧ識別子、ＨｅＮＢのＩＰアドレスで管理されていても良い。また、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
ＳＩＰＴＯ＠ＬＮ可能であると管理されたＨｅＮＢにＵＥ５０が在圏した場合、ＭＭＥ１０からの通知なしに、ＵＥ５０はＰＤＮコネクション要求を送信することができる。
【０２９１】
ここで、ＵＥ５０は、ＳＩＰＴＯ＠ＬＮ可能であるＨｅＮＢの管理において、ＨｅＮＢ単位で管理するだけでなく、ＣＳＧ識別子単位で管理しても良く、ＬＨＮ識別子単位で管理しても良い。また、ＵＥ５０は、ＭＭＥ１０からの通知なしにあらかじめＳＩＰＴＯ＠ＬＮ可能なＨｅＮＢを管理しておき、ＭＭＥ１０のＳＩＰＴＯ＠ＬＮの通知に関わらず、ＰＤＮコネクション要求を送信できるようにしておいても良い。
【０２９２】
続いて、ＵＥ５０は、ハンドオーバ確認をＭＭＥ１０へ送信する（Ｓ３０１４）。これにより、ＵＥ５０は、Ｔａｒｇｅｔ  ＨｅＮＢへハンドオーバを完了したことを示すことができる。
【０２９３】
さらに、Ｔａｒｇｅｔ  ＨｅＮＢは、ハンドオーバ通知をＭＭＥ１０へ送信する（Ｓ３０１６）。ハンドオーバ通知を受信したＭＭＥ１０は、Ｓｏｕｒｃｅ  ＨｅＮＢからＴａｒｇｅｔ  ＨｅＮＢへセッションを変更するためのセッション生成要求をＳＧＷ４０へ送信する（Ｓ３０１８）。また、セッション生成要求を受信したＳＧＷ４０は、Ｓｏｕｒｃｅ  ＨｅＮＢからＴａｒｇｅｔ  ＨｅＮＢへセッションを変更し、セッション生成応答をＭＭＥ１０へ送信する（Ｓ３０２０）。
【０２９４】
以上の手続きにより、ＭＭＥ１０は、ＵＥ５０に対するローカルネットワーク経由のオフロードの第１の許可情報および、ＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求することができる。これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０２９５】
このとき、ＵＥ５０は、図９（ｃ）に示すように、ハンドオーバ命令に含まれたＨｅＮＢ識別子（ＨｅＮＢ３０）をＡＰＮ識別子（ＡＰＮ１）と関連付けて管理する。なお、ＡＰＮ識別子は、サービスにアクセスするための接続先情報である。ＡＰＮ識別子（ＡＰＮ１）とＨｅＮＢ識別子（ＨｅＮＢ３０）を関連付けて管理することにより、ＵＥ５０は、ＨｅＮＢ３０においてＡＰＮ１を利用したＰＤＮコネクションを送信することができる。これにより、ＵＥ５０は、ＡＰＮ１を利用してＳＩＰＴＯ＠ＬＮのＰＤＮコネクション確立手続きを開始するためのＰＤＮコネクション要求を、ローカルネットワーク経由のオフロード（ＳＩＰＴＯ＠ＬＮ）可能である場合（ＨｅＮＢ３０に在圏している場合）にのみ送信することができる。
【０２９６】
ここで、図９（ｃ）において管理されるＨｅＮＢ識別子は、ＵＥ５０が在圏するＨｅＮＢの位置を示す情報であればよく、セル識別子やＣＳＧ識別子、ＨｅＮＢのＩＰアドレスで管理されていても良い。
【０２９７】
また、図９（ｃ）において管理されるＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０２９８】
また、ＳＩＰＴＯ＠ＬＮ可能であることを通知するだけでなく、ＳＩＰＴＯ＠ＬＮ可能でないことを通知しても良い。つまり、ローカルネットワーク経由でのオフロードの可否を通知しても良い。
【０２９９】
なお、Ｓ３００４におけるＳＩＰＴＯ＠ＬＮの検知において、ＳＩＰＴＯ＠ＬＮ可能であることを通知しないことを決定していた場合、ＵＥ５０は、図９（ｃ）に示すように、ＲＲＣ接続再設定を送信したＨｅＮＢ識別子（ＨｅＮＢ３０）をＡＰＮ識別子（ＡＰＮ１）と関連付けて管理しなくてもよい。また、ＵＥ５０は、ＵＥ５０が在圏するＨｅＮＢ３０においてＳＩＰＴＯ＠ＬＮ可能であることを通知されていないため、以降の手続きを行わなくて良い。
【０３００】
なお、ＳＩＰＴＯ＠ＬＮ可能であることを検知したＵＥ５０が、ＳＩＰＴＯ＠ＬＮのＰＤＮコネクションを確立するための手続きは、第１実施形態で記載の図１３の手続きを同様に利用可能である。
【０３０１】
以上により、ＭＭＥがＵＥにＳＩＰＴＯ＠ＬＮ可能であること（許可情報）を通知し、ＵＥ５０はＳＩＰＴＯ＠ＬＮ可能であることを検知することができる。これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０３０２】
つまり、ＭＭＥ１０は、ＵＥ５０に対するローカルネットワーク経由のオフロードの第１の許可情報及びＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知し、ＵＥ５０は、ローカルネットワーク経由のオフロードの許可情報により、ＨｅＮＢ３０においてローカルネットワーク経由のオフロードのためのＰＤＮコネクションの確立を要求する。
【０３０３】
また、ＭＭＥ１０は、ＵＥ５０に対するローカルネットワーク経由のオフロードの第１の許可情報及びＬＧＷ２０に対するローカルネットワーク経由のオフロードの第２の許可情報を管理し、第１の許可情報と第２の許可情報とを基にローカルネットワーク経由のオフロードの許可情報をＨｅＮＢ３０経由でＵＥ５０に通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０３０４】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０３０５】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０３０６】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクション確立できないことを示す情報を送信するためのシグナリングの増大を防ぐことができる。
【０３０７】
なお、ＳＩＰＴＯ＠ＬＮ可能であることを示す情報として、ＭＭＥがＡＰＮ識別子を通知する場合、ＡＰＮ識別子に設定される許可情報が、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能である。
【０３０８】
［４．第４実施形態]
第１実施形態、第２実施形態、第３実施形態では、ＵＥ５０は、ＭＭＥ１０からの通知により、ＳＩＰＴＯ＠ＬＮ可能であることを検知していたが、第４実施形態では、ＨｅＮＢ３０がＵＥ５０へ通知することで、ローカルネットワーク経由でのオフロード（ＳＩＰＴＯ＠ＬＮ）可能であることを検知する。
【０３０９】
また、第１実施形態、第２実施形態、第３実施形態では、ＭＭＥ１０は、ＬＧＷ２０がＳＩＰＴＯ＠ＬＮ可能であることを検知し、ＵＥ５０においてＳＩＰＴＯ＠ＬＮが許可されていることを検知して通知していたが、第４実施形態では、ＨｅＮＢ３０は、ＵＥ５０がＳＩＰＴＯ＠ＬＮが許可されていることを検知せず、ＬＧＷ２０がＳＩＰＴＯ＠ＬＮ可能であることを検知して、ＨｅＮＢ３０においてＳＩＰＴＯ＠ＬＮ可能であることを通知する。
【０３１０】
さらに、第１実施形態、第２実施形態、第３実施形態では、ＵＥ５０の位置（ＨｅＮＢ３０に在圏していること）を検知して、ＳＩＰＴＯ＠ＬＮ可能であることを通知していたが、第４実施形態では、ＵＥ５０の位置（ＨｅＮＢ３０に在圏していること）を検知することなく、ＨｅＮＢ３０においてＳＩＰＴＯ＠ＬＮ可能であることを通知することができる。
【０３１１】
このとき、ＵＥ５０は、図９（ｂ）のように、ＡＰＮ１においてＨｅＮＢ識別子に「ブランク」が設定されており、ＵＥ５０は、ＡＰＮ１を利用してＰＤＮコネクション要求を送信することができない。  
【０３１２】
ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０３１３】
なお、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０３１４】
つまり、ＨｅＮＢ３０は 、ＬＧＷ２０のローカルネットワーク経由のオフロードの許可情報を管理し、ＬＧＷ２０のローカルネットワーク経由のオフロードの許可情報をＵＥに通知し、ＵＥ５０は、ローカルネットワーク経由のオフロードの許可情報により、ＨｅＮＢ３０においてローカルネットワーク経由のオフロードのためのＰＤＮコネクションの確立を要求する。
【０３１５】
また、ＨｅＮＢ３０は、ＬＧＷ２０のローカルネットワーク経由のオフロードの許可情報を管理し、ＬＧＷ２０のローカルネットワーク経由のオフロードの許可情報をＵＥに通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０３１６】
また、本実施形態における移動通信システムは第１実施形態で説明した図１を同様に利用できるため、その詳細な説明を省略する。また、コアネットワーク３におけるＭＭＥ１０、ホームネットワーク５におけるＬＧＷ２０、ＨｅＮＢ３０は、それぞれ第１実施形態と同様の構成であるため、詳細な説明を省略する。
【０３１７】
図１７を用いて、ＨｅＮＢは、ＬＧＷにおいてＳＩＰＴＯ＠ＬＮ可能であることを検知し、ＨｅＮＢがＵＥへＳＩＰＴＯ＠ＬＮ可能であることを示す情報を通知する手続きについて説明する。
【０３１８】
まず、ＬＧＷ２０は、ＨｅＮＢ３０へＳＩＰＴＯ＠ＬＮ可能であることを通知する（Ｓ４００２）。ここで、ＳＩＰＴＯ＠ＬＮ可能であることを示す情報として、ＡＰＮ識別子を通知してもよい。なお、ＡＰＮ識別子は、サービスへアクセスするための接続先情報である。
【０３１９】
なお、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０３２０】
ＨｅＮＢ３０が接続するＬＧＷ２０においてＳＩＰＴＯ＠ＬＮ可能であることを検知したＨｅＮＢ３０は、ＵＥ５０へＳＩＰＴＯ＠ＬＮ可能であることを通知する（Ｓ４００４）。
このとき、ＨｅＮＢ３０が特定のＵＥへ送信しなくてもよく、ＨｅＮＢ３０に在圏するＵＥ全てに対して、定期的なブロードキャスト（一斉送信）により、ＵＥ５０へ通知しても良い。なお、ＳＩＰＴＯ＠ＬＮ可能であることを示す情報としては、ＡＰＮ識別子を通知する方法やＳＩＰＴＯ＠ＬＮフラグを通知する方法がある。また、ＡＰＮ識別子は、サービスへアクセスするための接続先情報である。
【０３２１】
このとき、ＵＥ５０は、図９（ｃ）に示すように、ＨｅＮＢ識別子（ＨｅＮＢ３０）をＡＰＮ１と関連付けて管理する。ＡＰＮ１とＨｅＮＢ３０を関連付けて管理することにより、ＵＥ５０は、ＨｅＮＢ３０においてＡＰＮ１を利用したＰＤＮコネクションを送信することができる。
【０３２２】
ここで、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０３２３】
また、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０３２４】
以上より、ＵＥ５０がＳＩＰＴＯ＠ＬＮ可能なＬＧＷ２０に接続するＨｅＮＢ３０へ在圏した場合、ＨｅＮＢ３０がＵＥ５０へＳＩＰＴＯ＠ＬＮ可能であることを示す情報を送信することにより、ＵＥ５０はＳＩＰＴＯ＠ＬＮ可能であることを検知することができる。
【０３２５】
なお、ＵＥ５０が在圏するＨｅＮＢにおいて、ブロードキャストを受信できない場合、ＵＥ５０はＳＩＰＴＯ＠ＬＮ可能であることを検知することができない。また、ＵＥ５０は、ＵＥ５０が在圏するＨｅＮＢ３０においてＳＩＰＴＯ＠ＬＮ可能であることを検知できない場合、以降の手続きを行わなくて良い。
【０３２６】
これにより、ＵＥ５０は、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０３２７】
なお、ＳＩＰＴＯ＠ＬＮ可能であることを検知したＵＥ５０は、ＳＩＰＴＯ＠ＬＮのＰＤＮコネクションを確立するための手続きとして、第１実施形態で記載の図１３の手続きを同様に利用可能である。
【０３２８】
以上により、ＨｅＮＢ３０は 、ＬＧＷ２０のローカルネットワーク経由のオフロードの許可情報を管理し、ＬＧＷ２０のローカルネットワーク経由のオフロードの許可情報をＵＥに通知し、ＵＥ５０は、ローカルネットワーク経由のオフロードの許可情報により、ＨｅＮＢ３０においてローカルネットワーク経由のオフロードのためのＰＤＮコネクションの確立を要求することができる。
【０３２９】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０３３０】
また、ＨｅＮＢ３０は、ＬＧＷ２０のローカルネットワーク経由のオフロードの許可情報を管理し、ＬＧＷ２０のローカルネットワーク経由のオフロードの許可情報をＵＥに通知しないことにより、ＵＥ５０は、ローカルネットワーク経由のオフロードの許可情報により、ＨｅＮＢ３０においてローカルネットワーク経由のオフロードのためのＰＤＮコネクションの確立の要求を抑制することができる。
【０３３１】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０３３２】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０３３３】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクション確立できないことを示す情報を送信するためのシグナリングの増大を防ぐことができる。
【０３３４】
なお、ＳＩＰＴＯ＠ＬＮ可能であることを示す情報として、ＨｅＮＢがＡＰＮ識別子を通知する場合、ＡＰＮ識別子に設定される許可情報が、ＳＩＰＴＯ  ａｌｌｏｗｅｄ  ｉｎｃｌｕｄｉｎｇ  ＳＩＰＴＯ＠ＬＮやＳＩＰＴＯ＠ＬＮ  ａｌｌｏｗｅｄ  ｏｎｌｙといった許可情報が設定可能である。
【０３３５】
［５．第５実施形態]
第１実施形態、第２実施形態、第３実施形態、第４実施形態では、ＵＥ５０は、ＭＭＥ１０やＨｅＮＢ３０からの通知により、ＳＩＰＴＯ＠ＬＮ可能であることを検知していたが、第５実施形態では、ＵＥ５０にあらかじめローカルネットワーク経由でのオフロード（ＳＩＰＴＯ＠ＬＮ）可能であるＨｅＮＢ３０を設定しておくことで、ＵＥ５０は、ＨｅＮＢ３０に在圏した場合、ＨｅＮＢ３０をローカルネットワーク経由でのオフロードＳＩＰＴＯ＠ＬＮ）可能なＨｅＮＢとして検知する。
【０３３６】
つまり、ＵＥ５０は、ＨｅＮＢにおけるローカルネットワーク経由のオフロードの許可情報を設定し、ＵＥ５０は、ローカルネットワーク経由のオフロードの許可情報により、ローカルネットワーク経由のオフロードのためのＰＤＮコネクションの確立を要求する。
【０３３７】
また、ＵＥ５０は、ＨｅＮＢにおけるローカルネットワーク経由のオフロードの許可情報が設定されていない場合、ＵＥ５０は、ローカルネットワーク経由のオフロードの許可情報により、ローカルネットワーク経由のオフロードのためのＰＤＮコネクションの確立の要求を抑制する。
【０３３８】
ＵＥ５０が、ＨｅＮＢ３０を設定する方法として、ＨｅＮＢ識別子を管理することで実現することができる。このとき、ＵＥ５０は、図９（ｃ）に示すように、ＨｅＮＢ識別子（ＨｅＮＢ３０）をＡＰＮ識別子（ＡＰＮ１）と関連付けて管理する。なお、ＡＰＮ識別子は、サービスにアクセスするための接続先情報である。ここで、ＨｅＮＢ識別子は、ＵＥが在圏するＨｅＮＢの位置を示す情報であればよく、セル識別子やＣＳＧ識別子、ＨｅＮＢのＩＰアドレスで管理されていても良い。
【０３３９】
ＡＰＮ１は、ＨｅＮＢ３０と対応づけて管理されているため、ＨｅＮＢ３０において、ＡＰＮ１（ＳＩＰＴＯ＠ＬＮ）を利用してＰＤＮコネクションを要求できることを示している。ここで、ＡＰＮ識別子として、ＡＰＮ１とは異なるＡＰＮ識別子を管理することで、別のサービス（ＬＩＰＡやＳＩＰＴＯ＠ＲＮ、移動通信事業者のネットワークなど）を利用しても良い。
【０３４０】
なお、ＡＰＮ識別子は、特定のサービスを許可するための許可情報であれば良く、ローカルネットワーク経由でのオフロードサービスの許可情報を示す場合、ＳＩＰＴＯ＠ＬＮフラグ（ＳＩＰＴＯ＠ＬＮを許可または、不許可を示す情報）であっても良い。
【０３４１】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０３４２】
なお、ＵＥ５０は、ＨｅＮＢにおけるローカルネットワーク経由のオフロードの許可情報が設定されていない場合、ＵＥ５０は、以降の手続きを行わなくて良い。
【０３４３】
なお、本実施形態における移動通信システムは第１実施形態で説明した図１を同様に利用できるため、その詳細な説明を省略する。また、コアネットワーク３におけるＭＭＥ１０、ホームネットワーク５におけるＬＧＷ２０、ＨｅＮＢ３０は、それぞれ第１実施形態と同様の構成であるため、詳細な説明を省略する。
【０３４４】
また、ＳＩＰＴＯ＠ＬＮ可能であることを検知したＵＥ５０は、ＳＩＰＴＯ＠ＬＮのＰＤＮコネクションを確立するための手続きとして、第１実施形態で記載の図１３の手続きを同様に利用可能である。
【０３４５】
以上により、ＵＥ５０は、ＨｅＮＢにおけるローカルネットワーク経由のオフロードの許可情報を設定し、ＵＥ５０は、ローカルネットワーク経由のオフロードの許可情報により、ローカルネットワーク経由のオフロードのためのＰＤＮコネクションの確立を要求することができる。
【０３４６】
また、ＵＥ５０は、ＨｅＮＢにおけるローカルネットワーク経由のオフロードの許可情報が設定されていない場合、ＵＥ５０は、ローカルネットワーク経由のオフロードの許可情報により、ローカルネットワーク経由のオフロードのためのＰＤＮコネクションの確立の要求を抑制することができる。
【０３４７】
これにより、ＵＥは、ＳＩＰＴＯ＠ＬＮのＰＤＮコネクション確立手続きを開始するためのＰＤＮコネクション要求を、ＳＩＰＴＯ＠ＬＮ可能である場合にのみ送信することができる。
【０３４８】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＵＥは、不必要にＰＤＮコネクション要求を送信することを防止し、ＵＥの消費電力を浪費することを防ぐことができる。
【０３４９】
また、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＳＩＰＴＯ＠ＬＮ可能なＬＧＷを選択できる場合にのみ、ＬＧＷの選択を行うことができ、不必要なＬＧＷの選択を防止し、ＭＭＥに処理負荷を与えることを防ぐことができる。
【０３５０】
さらに、ＵＥが、ＳＩＰＴＯ＠ＬＮのＰＤＮコネクションを確立できる場合にのみ、ＳＩＰＴＯ＠ＬＮのＰＤＮコネクション要求を送信することによって、ＭＭＥは、ＰＤＮコネクション確立できないことを示す情報を送信するためのシグナリングの増大を防ぐことができる。
【０３５１】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０３５２】
また、本願発明は上述の実施形態に限定されるものではない。実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０３５３】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０３５４】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（(Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３５５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０３５６】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０３５７】
１        ：移動通信システム
３        ：コアネットワーク
５        ：ホームネットワーク
７        ：ブロードバンドネットワーク
１００    ：制御部
１１０    ：送受信部
１４０    ：ＬＧＷ検出部
１５０    ：記憶部
１５２    ：ＨｅＮＢ管理表
１５４    ：ＬＨＮ／ＣＳＧ管理表
１５６    ：ＡＰＮ管理表
２００    ：制御部
２２０    ：ブロードバンドネットワークインタフェース部
２３０    ：ホームネットワークインタフェース部
２５０    ：記憶部
２５２    ：ＬＧＷ識別子
２５４    ：ＨｅＮＢ識別子
２５６    ：ＨｅＮＢ識別子
３００    ：制御部
３１０    ：ＬＴＥ基地局部
３２０    ：ホームネットワークインタフェース部
３５０    ：記憶部
３５２    ：ＨｅＮＢ識別子
３５４    ：ＬＧＷ識別子
３５６    ：ＬＨＮ管理情報
３５８    ：ＡＰＮ管理表
５００    ：制御部
５１０    ：ＬＴＥインタフェース部
５１２    ：アンテナ
５５０    ：記憶部
５５２    ：ＣＳＧ識別子
５５４    ：ＡＰＮ管理表
【図１】
2015233170.tif 000003
【図２】
2015233170.tif 000004
【図３】
2015233170.tif 000005
【図４】
2015233170.tif 000006
【図５】
2015233170.tif 000007
【図６】
2015233170.tif 000008
【図７】
2015233170.tif 000009
【図８】
2015233170.tif 000010
【図９】
2015233170.tif 000011
【図１０】
2015233170.tif 000012
【図１１】
2015233170.tif 000013
【図１２】
2015233170.tif 000014
【図１３】
2015233170.tif 000015
【図１４】
2015233170.tif 000016
【図１５】
2015233170.tif 000017
【図１６】
2015233170.tif 000018
【図１７】
2015233170.tif 000019